(57)【要約】暖房または冷房をユーザに提供するために好適な個人用携帯周囲空気温度修正のためのデバイスおよび対応する動作方法。特に、本発明は、従来のカップホルダの中に収まるように構成されたコンテナの内側に配置された修正周囲温度源から、加熱または冷却された空気流を提供する暖房または冷房デバイスに関する。デバイスは、デバイスの内部チャンバの中へ周囲温度空気を引き込み、周囲温度空気は、細長い空気マニホールドを介して電動式空気移動機構に進入することに先立って熱的に濃縮される内部チャンバの中の熱エネルギー貯蔵構成要素からの熱伝達を通して加熱または加温され、結果として生じる冷却または加温された空気は、デバイスの内部チャンバから外へ戻され、ユーザに向かわせられる。デバイスによって戻される修正温度空気は、所望の冷却または加温効果をユーザの近傍の隣接環境に提供する。
2019532245.tif 000002
【特許請求の範囲】
【請求項１】
個人用周囲空気温度修正デバイスであって、前記個人用周囲空気温度修正デバイスは、
手持ち式であるように適合されたコンテナであって、前記コンテナは、
内部容積を画定する１つ以上の断熱された壁であって、前記１つ以上の断熱された壁の各々は、前記内部容積に面する内部側と、前記内部側の反対側の外部側とを有する、１つ以上の断熱された壁と、
前記コンテナの第１の端部を通して配置された開口部と、
前記第１の端部の反対側の前記コンテナの第２の端部に配置された基部であって、前記基部は、前記内部容積に面する内部側と、前記内部側の反対側の外部側とを有する、基部と
を備え、
前記コンテナは、カップホルダの中に収まるようにサイズを決定され、寸法を決定され、かつ適合されている、コンテナと、
前記内部容積に面する内部側と、前記内部側の反対側の外部側とを有する蓋であって、前記蓋は、密閉位置にあるとき、前記開口部を遮断し、前記コンテナから除去されたとき、前記開口部をさらすように、前記開口部を除去可能かつ交換可能に覆い、前記蓋は、
帰還ポートと、
空気入口と、
前記蓋の内側に配置された電動式空気移動機構と
を備え、
前記電動式空気移動機構は、前記空気入口を通して空気を引き込み、前記帰還ポートを通して前記コンテナおよび前記蓋の外部の外部環境に帰還空気を排出する、蓋と、
前記コンテナの内部容積と流体連通する少なくとも１つの空気取り入れポートであって、前記少なくとも１つの空気取り入れポートは、前記デバイスの外部の周囲環境から前記コンテナの内部容積に流入するように供給空気を引き込むために位置付けられている、少なくとも１つの空気取り入れポートと、
前記コンテナの内部容積の中に配置された熱エネルギー濃縮器と
を備え、
前記熱エネルギー濃縮器は、第１の端部における空気漏斗開口部と、第２の端部における取り入れ開口部とを有する細長い空気マニホールドを備え、前記空気漏斗開口部は、前記空気入口と流体的に結合され、前記取り入れ開口部は、前記コンテナの内部容積と流体的に結合され、
前記蓋が前記コンテナ上の前記密閉位置にあるとき、前記電動式空気移動機構は、動作しており、１つ以上の熱エネルギー貯蔵構成要素が、前記コンテナの内部容積の中に配置されており、周囲空気が、前記少なくとも１つの空気取り入れポートを通して前記コンテナの内部容積の中へ引き込まれ、前記１つ以上の熱エネルギー貯蔵構成要素を横断し、前記細長い空気マニホールドの第２の端部における前記取り入れ開口部を通り、前記細長い空気マニホールドを通り、前記周囲空気は、前記１つ以上の熱エネルギー貯蔵構成要素および前記細長い空気マニホールドによる対流を介して、熱的に修正された空気に変換され、前記熱的に修正された空気は、前記少なくとも１つの空気取り入れポートを通して引き込まれる前記周囲空気と異なる温度を有する帰還空気として、前記空気漏斗開口部を通り、前記空気入口の中へ入り、前記帰還ポートを通り外へ出ることを続ける、
個人用周囲空気温度修正デバイス。
【請求項２】
前記少なくとも１つの空気取り入れポートを通して引き込まれる前記周囲空気と異なる温度を有する前記帰還空気は、少なくとも華氏２度の温度差を備えている、請求項１に記載の個人用周囲空気温度修正デバイス。
【請求項３】
前記コンテナは、二重壁構成の壁の間に配置された空隙を有する前記二重壁構成を有する、請求項１に記載の個人用周囲空気温度修正デバイス。
【請求項４】
前記コンテナは、前記二重壁構成の壁の間に配置された１つ以上の断熱材料を有する前記二重壁構成を有する、請求項１に記載の個人用周囲空気温度修正デバイス。
【請求項５】
前記コンテナの内部容積は、約１０オンス、約１５オンス、約２０オンス、約２４オンス、約３０オンス、約３６オンス、約４０オンス、約４５オンス、約５０オンス、約５５オンス、または約６０オンスのうちの１つである、請求項１に記載の個人用周囲空気温度修正デバイス。
【請求項６】
前記コンテナは、プラスチック、複合材料、金属、ゴム、エラストマ材料、非エラストマ材料、またはそれらの組み合わせのうちの１つ以上のものから製造される、請求項１に記載の個人用周囲空気温度修正デバイス。
【請求項７】
前記蓋の周りに配置されたガスケットシールをさらに備え、前記ガスケットシールは、前記蓋が前記コンテナ上の密閉位置にあるとき、前記コンテナ開口部と係合するように構成されている、請求項１に記載の個人用周囲空気温度修正デバイス。
【請求項８】
前記蓋の周りに配置されたエラストマガスケットシールをさらに備え、前記エラストマガスケットシールは、前記蓋が前記コンテナ上の密閉位置にあるとき、前記コンテナ開口部と係合するように構成され、前記エラストマガスケットシールは、前記コンテナ開口部と前記蓋との間の振動抑制、雑音低減、および熱保存を提供する、請求項１に記載の個人用周囲空気温度修正デバイス。
【請求項９】
前記蓋と前記コンテナとの間の機械的結合部をさらに備え、前記機械的結合部は、摩擦もしくは締まり嵌め、ラッチ機構、またはねじ山付き結合部のうちの１つから成る、請求項１に記載の個人用周囲空気温度修正デバイス。
【請求項１０】
前記内部容積に面する前記内部側に近接して前記蓋の中に配置された断熱挿入物をさらに備えている、請求項１に記載の個人用周囲空気温度修正デバイス。
【請求項１１】
前記断熱挿入物は、非毒性断熱プラスチック発泡挿入物、断熱複合材料、またはそれらの組み合わせを備えている、請求項１０に記載の個人用周囲空気温度修正デバイス。
【請求項１２】
前記断熱挿入物は、振動抑制、音抑制、または両方である、請求項１０に記載の個人用周囲空気温度修正デバイス。
【請求項１３】
前記断熱挿入物は、１つ以上の空気取り入れチャネルをさらに備え、前記１つ以上の空気取り入れチャネルは、前記蓋が前記コンテナ上の前記密閉位置であるとき、前記少なくとも１つの空気取り入れポートと前記コンテナの内部容積との間の流体連通を提供する、請求項１０に記載の個人用周囲空気温度修正デバイス。
【請求項１４】
前記断熱挿入物は、除去可能、洗浄可能、および再利用可能である、請求項１０に記載の個人用周囲空気温度修正デバイス。
【請求項１５】
前記電動式空気移動機構は、曲線状のファンの羽根、平坦なファンの羽根、またはそれらの組み合わせを有する遠心ファンを備えている、請求項１に記載の個人用周囲空気温度修正デバイス。
【請求項１６】
前記熱エネルギー濃縮器は、多孔質材料または非多孔質材料から成る、請求項１に記載の個人用周囲空気温度修正デバイス。
【請求項１７】
前記熱エネルギー濃縮器は、その長さの全体を通して複数の穿孔を備えている、請求項１に記載の個人用周囲空気温度修正デバイス。
【請求項１８】
前記細長い空気マニホールドは、前記第１の端部における空気漏斗を前記第２の端部における前記取り入れ開口部と流体的に結合する１つの中心チャネルを有する、請求項１に記載の個人用周囲空気温度修正デバイス。
【請求項１９】
前記細長い空気マニホールドは、前記第１の端部における空気漏斗を前記第２の端部における前記取り入れ開口部と流体的に結合する複数のチャネルを有する、請求項１に記載の個人用周囲空気温度修正デバイス。
【請求項２０】
前記細長い空気マニホールドは、複数の側壁開口部を有する、請求項１に記載の個人用周囲空気温度修正デバイス。
【請求項２１】
前記細長い空気マニホールドは、複数の熱伝導性表面特徴を有する、請求項１に記載の個人用周囲空気温度修正デバイス。
【請求項２２】
前記細長い空気マニホールドは、フィン、輪郭、指状突起、またはそれらの組み合わせのうちの１つ以上のものを備えている複数の熱伝導性表面特徴を有し、前記熱伝導性表面特徴は、平滑な線形表面に対して前記細長い空気マニホールドの熱伝導性表面積を増加させる、請求項１に記載の個人用周囲空気温度修正デバイス。
【請求項２３】
前記細長い空気マニホールドは、テーパ状構成を有し、前記テーパ状構成のより狭い端部が、前記第２の端部における前記取り入れ開口部に近接しており、それによって、前記コンテナが角氷、砕かれた氷、および／または削られた氷で充填されている場合、前記テーパ状構成は、アイスデフレクタであり、前記蓋が前記コンテナと結合されると、前記細長い空気マニホールドは、氷を脇へ押しやる、請求項１に記載の個人用周囲空気温度修正デバイス。
【請求項２４】
前記細長い空気マニホールドは、前記細長い空気マニホールドの外面に沿って配置された支柱、スロット、リブ、またはカップから成る群から選択される取り付け手段をさらに備え、前記取り付け手段は、前記コンテナの内側に配置された前記１つ以上の熱エネルギー貯蔵構成要素と係合する、請求項１に記載の個人用周囲空気温度修正デバイス。
【請求項２５】
前記帰還ポートと除去可能かつ交換可能に結合された帰還空気送達管をさらに備えている、請求項１に記載の個人用周囲空気温度修正デバイス。
【請求項２６】
前記熱エネルギー濃縮器は、前記蓋と除去可能かつ交換可能に結合されている、請求項１に記載の個人用周囲空気温度修正デバイス。
【請求項２７】
前記熱エネルギー濃縮器は、前記蓋と恒久的に結合されている、請求項１に記載の個人用周囲空気温度修正デバイス。
【請求項２８】
前記熱エネルギー濃縮器は、摩擦もしくは締まり嵌め、ラッチ機構、またはねじ山付き結合部を介して蓋と除去可能かつ交換可能に結合されている、請求項１に記載の個人用周囲空気温度修正デバイス。
【請求項２９】
前記熱エネルギー濃縮器は、前記コンテナの内部容積の中に配置された１つ以上の熱エネルギー貯蔵構成要素から熱エネルギーを受け取るように適合されている、請求項１に記載の個人用周囲空気温度修正デバイス。
【請求項３０】
前記熱エネルギー濃縮器は、前記コンテナの内部容積の中に配置された１つ以上の熱エネルギー貯蔵構成要素から熱エネルギーを受け取るように適合され、前記１つ以上の熱エネルギー貯蔵構成要素は、高温もしくは低温ゲルパック、熱を発生させるための酸化鉄パウチ、氷、またはそれらの組み合わせを備えている、請求項１に記載の個人用周囲空気温度修正デバイス。
【請求項３１】
前記熱エネルギー濃縮器は、折り畳まれた１つ以上の熱エネルギー貯蔵構成要素から熱エネルギーを受け取るように適合されている、請求項１に記載の個人用周囲空気温度修正デバイス。
【請求項３２】
バッテリ収納チャンバをさらに備えている、請求項１に記載の個人用周囲空気温度修正デバイス。
【請求項３３】
前記デバイスの中に配置された再充電可能バッテリ収納をさらに備えている、請求項１に記載の個人用周囲空気温度修正デバイス。
【請求項３４】
電動式空気移動機構動作を制御している制御機構と結合された無線通信構成要素をさらに備え、それによって、前記電動式空気移動機構は、前記無線通信構成要素を介して前記制御機構と無線通信する別個のデバイスによって制御可能である、請求項１に記載の個人用周囲空気温度修正デバイス。
【請求項３５】
無線周波数（ＲＦ）、Ｗｉ−Ｆｉ、セルラー、Ｂｌｕｅｔｏｏｔｈ（登録商標）、Ｂｌｕｅｔｏｏｔｈ（登録商標）  Ｌｏｗ  Ｅｎｅｒｇｙ、パーソナルエリアネットワーク（ＰＡＮ）、短波長ＵＨＦ、またはそれらの組み合わせのうちの１つ以上のものを使用して無線で通信するように構成された無線通信構成要素をさらに備えている、請求項１に記載の個人用周囲空気温度修正デバイス。
【請求項３６】
バッテリカバードアをさらに備え、前記バッテリカバードアは、バッテリ充電のための磁気電源コード取り付けのために装備された磁気電源コード受け取り器結合部を有する、請求項１に記載の個人用周囲空気温度修正デバイス。
【請求項３７】
前記蓋上の密閉および閉鎖位置にあるときに耐候性または防水のバッテリカバードアをさらに備えている、請求項１に記載の個人用周囲空気温度修正デバイス。
【請求項３８】
バッテリカバードアと、耐候性スイッチと、突出リブ要素と、ハンドルとを含む前記蓋の外部側は、極端な周囲温度または日光の中での前記蓋による熱吸収を低減させるための非熱吸収の材料、仕上げ、または色で構成されている、請求項１に記載の個人用周囲空気温度修正デバイス。
【請求項３９】
１つ以上の可動ドアをさらに備え、前記１つ以上の可動ドアは、前記１つ以上の可動ドアを閉鎖することによって前記コンテナの内側に収納された熱エネルギーを維持するために、前記少なくとも１つの空気取り入れポートへのアクセスを閉鎖または開放するように位置付けられ、構成されている、請求項１に記載の個人用周囲空気温度修正デバイス。
【請求項４０】
前記電動式空気移動機構の動作を制御する制御機構のためのコマンドに変換される音声コマンドを受信するように構成されたマイクロホン、をさらに備えている、請求項１に記載の個人用周囲空気温度修正デバイス。
【請求項４１】
前記個人用周囲空気温度修正デバイスは、１０ポンド未満、好ましくは、５ポンド未満、より好ましくは、２ポンド未満の重量である、請求項１に記載の個人用周囲空気温度修正デバイス。
【請求項４２】
前記電動式空気移動機構の前記動作を制御するための耐候性オン／オフスイッチをさらに備えている、請求項１に記載の個人用周囲空気温度修正デバイス。
【請求項４３】
１つ以上の耐候性オン／オフスイッチ、可変速度スイッチ、ＬＥＤインジケータを有する１つ以上の耐候性スイッチ、デジタル表示画面を有する１つ以上の耐候性スイッチ、前記電動式空気移動機構のオン／オフ動作を制御するように構成された１つ以上のタイマ、またはそれらの組み合わせをさらに備えている、請求項１に記載の個人用周囲空気温度修正デバイス。
【請求項４４】
ＵＳＢ、マイクロＵＳＢ、マルチピンドックコネクタ、および照明電源コネクタから成る群から選択される受電機ポートをさらに備えている、請求項１に記載の個人用周囲空気温度修正デバイス。
【請求項４５】
前記個人用周囲空気温度修正デバイスと結合された太陽光発電源をさらに備えている、請求項１に記載の個人用周囲空気温度修正デバイス。
【請求項４６】
表面上に設置されたときに前記デバイスが置かれている前記個人用周囲空気温度修正デバイスの底面上に配置された滑り止め振動吸収または振動抑制基部をさらに備えている、請求項１に記載の個人用周囲空気温度修正デバイス。
【請求項４７】
前記蓋から延びているキャリーハンドルをさらに備えている、請求項１に記載の個人用周囲空気温度修正デバイス。
【請求項４８】
前記蓋から延びているキャリーハンドルをさらに備え、前記キャリーハンドルは、回転することなく平面上への前記個人用周囲空気温度修正デバイスの水平設置を可能にするように構成されている、請求項１に記載の個人用周囲空気温度修正デバイス。
【請求項４９】
前記蓋から延びているキャリーハンドルをさらに備え、前記キャリーハンドルは、偶発的なオン／オフスイッチアクティブ化を阻止し、外部電源に接続されているときの偶発的な電源コード除去を阻止するように構成されている、請求項１に記載の個人用周囲空気温度修正デバイス。
【請求項５０】
前記蓋から延びているキャリーハンドルをさらに備え、前記キャリーハンドルおよびバッテリカバータブは、前記個人用周囲空気温度修正デバイスの動作中、前記タブおよび蓋の上で十分な視認角度において携帯電話またはモバイルタブレットデバイスを支持するようにサイズを決定され、寸法を決定され、構成され、かつ適合されている、請求項１に記載の個人用周囲空気温度修正デバイス。
【請求項５１】
常夜灯をさらに備えている、請求項１に記載の個人用周囲空気温度修正デバイス。
【請求項５２】
前記個人用周囲空気温度修正デバイスの周囲に適合するようにサイズを決定され、寸法を決定され、かつ構成された除去可能な断熱ジャケットカバーをさらに備えている、請求項１に記載の個人用周囲空気温度修正デバイス。
【請求項５３】
空気温度を感知するための前記個人用周囲空気温度修正デバイス上に配置された温度センサをさらに備えている、請求項１に記載の個人用周囲空気温度修正デバイス。
【請求項５４】
水霧を前記帰還ポートに供給するための超音波電子水霧発生器をさらに備えている、請求項１に記載の個人用周囲空気温度修正デバイス。
【請求項５５】
芳香を前記帰還ポートに供給する芳香拡散器手段をさらに備えている、請求項１に記載の個人用周囲空気温度修正デバイス。
【請求項５６】
空気フィルタをさらに備えている、請求項１に記載の個人用周囲空気温度修正デバイス。
【請求項５７】
前記帰還ポート、取り付け可能な送達管、または両方に結合された空気フィルタをさらに備えている、請求項１に記載の個人用周囲空気温度修正デバイス。
【請求項５８】
洗浄可能かつ再利用可能な空気フィルタをさらに備えている、請求項１に記載の個人用周囲空気温度修正デバイス。
【請求項５９】
使い捨て空気フィルタをさらに備えている、請求項１に記載の個人用周囲空気温度修正デバイス。
【請求項６０】
炭素成分から成る空気フィルタをさらに備えている、請求項１に記載の個人用周囲空気温度修正デバイス。
【請求項６１】
ＨＥＰＡ空気フィルタをさらに備えている、請求項１に記載の個人用周囲空気温度修正デバイス。
【請求項６２】
前記個人用周囲空気温度修正デバイスは、無線または充電器への有線接続を用いて充電可能な再充電可能バッテリを用いて給電される、請求項１に記載の個人用周囲空気温度修正デバイス。
【請求項６３】
前記再充電可能バッテリは、有線接続によって、または無線充電手段によって、携帯電話、タブレット、またはコンピューティングデバイス等の再充電可能バッテリ動作型デバイスを充電するように構成されている、請求項６２に記載の個人用周囲空気温度修正デバイス。
【請求項６４】
バッテリ寿命インジケータ表示をさらに備えている、請求項１に記載の個人用周囲空気温度修正デバイス。
【請求項６５】
温度表示をさらに備えている、請求項１に記載の個人用周囲空気温度修正デバイス。
【請求項６６】
前記個人用周囲空気温度修正デバイスは、少なくとも華氏２度周囲空気温度を修正する、請求項１に記載の個人用周囲空気温度修正デバイス。
【請求項６７】
凝結または液体源と結合された水霧発生器をさらに備えている、請求項１に記載の個人用周囲空気温度修正デバイス。
【請求項６８】
前記少なくとも１つの空気取り入れポートを遮断するため閉鎖可能であり、前記少なくとも１つの空気取り入れポートへのアクセスを提供するために開放可能であるドアをさらに備え、それによって、前記個人用周囲空気温度修正デバイスが前記コンテナ内の熱エネルギーを保存するとき、前記ドアは、閉鎖されることが可能である、請求項１に記載の個人用周囲空気温度修正デバイス。
【請求項６９】
前記細長い空気マニホールドは、前記コンテナ内の設置およびそこからの除去のための１つ以上の熱エネルギー発生デバイス取り付け手段を備えている、請求項１に記載の個人用周囲空気温度修正デバイス。
【請求項７０】
前記個人用周囲空気温度修正デバイスは、２度以上の局所的体温修正を提供するように構成されている、請求項１に記載の個人用周囲空気温度修正デバイス。
【請求項７１】
前記電動式空気移動機構は、ファンの羽根のタービンファン構成で構築されている、請求項１に記載の個人用周囲空気温度修正デバイス。
【請求項７２】
前記帰還ポートが生物に十分に近く設置されている場合、２度以上の局所温度変化または表面温度効果をもたらす、請求項１に記載の個人用周囲空気温度修正デバイス。
【請求項７３】
前記熱エネルギー濃縮器は、複数のフィンによって作成された複数の収納チャンバを有するマルチチャネル方向性空気流マネージャを備えている、請求項１に記載の個人用周囲空気温度修正デバイス。
【請求項７４】
前記熱エネルギー濃縮器は、複数の収納チャンバを中心空気チャネルと結合する複数の空気流チャネルを備えているマルチチャネル方向性空気流マネージャを備えている、請求項１に記載の個人用周囲空気温度修正デバイス。
【請求項７５】
前記熱エネルギー濃縮器は、前記コンテナの固定部分の中にマルチチャネル方向性空気流マネージャを備えている、請求項１に記載の個人用周囲空気温度修正デバイス。
【請求項７６】
前記熱エネルギー濃縮器は、前記コンテナから除去可能であるマルチチャネル方向性空気流マネージャを備えている、請求項１に記載の個人用周囲空気温度修正デバイス。
【請求項７７】
前記熱エネルギー濃縮器は、それ自体が前記熱エネルギー貯蔵構成要素であるマルチチャネル方向性空気流マネージャを備えている、請求項１に記載の個人用周囲空気温度修正デバイス。
【請求項７８】
前記電動式空気移動機構の動作中の使用のための無線バッテリ動作型Ｂｌｕｅｔｏｏｔｈ（登録商標）またはＷｉ−Ｆｉ対応型スピーカをさらに備えている、請求項１に記載の個人用周囲空気温度修正デバイス。
【請求項７９】
前記蓋内にＬＥＤ、バッテリ接続、コンセント、Ｗｉ−Ｆｉ、およびＢｌｕｅｔｏｏｔｈ（登録商標）構成要素を含むプリント回路基板をさらに備えている、請求項１に記載の個人用周囲空気温度修正デバイス。
【請求項８０】
モータ速度インジケータ（ＬＥＤ）、Ｗｉ−Ｆｉ接続インジケータもしくは表示、および／または、オン／オフインジケータ（ＬＥＤ）をさらに備えている、請求項１に記載の個人用周囲空気温度修正デバイス。
【請求項８１】
前記帰還ポートを通して種々の薬剤をユーザに供給するための薬剤拡散器をさらに備えている、請求項１に記載の個人用周囲空気温度修正デバイス。
【請求項８２】
触れられたときに点灯し、所定の期間後にオフになる照射電源アイコンボタンをさらに備えている、請求項１に記載の個人用周囲空気温度修正デバイス。
【請求項８３】
前記デバイスがオンであるときに照射され、前記デバイスがオフであるときに照射されないＬＥＤ電源インジケータをさらに備えている、請求項１に記載の個人用周囲空気温度修正デバイス。
【請求項８４】
前記電源インジケータは、オン／オフスイッチボタンの周囲の円光である、請求項８３に記載の個人用周囲空気温度修正デバイス。
【請求項８５】
前記電動式空気移動機構の残存バッテリ電力または速度を示すための１つ以上のＬＥＤインジケータをさらに備えている、請求項１に記載の個人用周囲空気温度修正デバイス。
【請求項８６】
温度ＬＥＤに結合された内部温度センサをさらに備え、前記温度ＬＥＤは、冷たい空気温度のための寒色および暖かい空気温度のための暖色を照射する、請求項１に記載の個人用周囲空気温度修正デバイス。
【請求項８７】
前記コンテナまたは前記蓋がぬれているときに滑り止めグリップを提供するための耐候性ソフトタッチコーティングをさらに備えている、請求項１に記載の個人用周囲空気温度修正デバイス。
【請求項８８】
前記耐候性ソフトタッチコーティングは、前記蓋の外面のうちの５％以上の外面上にある、請求項８７に記載の個人用周囲空気温度修正デバイス。
【請求項８９】
前記コンテナは、形状によって種々の手のサイズに適合するようにサイズを決定されている、請求項１に記載の個人用周囲空気温度修正デバイス。
【請求項９０】
前記形状は、円形、正方形、輪郭、六角形、広口、輪郭、またはテクスチャ加工のうちの少なくとも１つを含む、請求項８９に記載の個人用周囲空気温度修正デバイス。
【請求項９１】
前記コンテナは、最大１５０％までの８０％を上回るコンテナ幅に対する振動吸収基部を有する、請求項１に記載の個人用周囲空気温度修正デバイス。
【請求項９２】
前記細長い空気マニホールドの長さの長さ対幅比は、前記電動式空気移動機構の直径の１０％を上回る、請求項１に記載の個人用周囲空気温度修正デバイス。
【請求項９３】
ヒンジを有する耐候性バッテリカバーと、振動防止、温度保存、および遮音性質を有するクリップ閉鎖部とをさらに備えている、請求項１に記載の個人用周囲空気温度修正デバイス。
【請求項９４】
個人用周囲空気温度修正デバイスであって、前記個人用周囲空気温度修正デバイスは、
手持ち式であるように適合されたコンテナであって、前記コンテナは、
内部容積を画定する１つ以上の断熱された壁であって、前記１つ以上の断熱された壁の各々は、前記内部容積に面する内部側と、前記内部側の反対側の外部側とを有する、１つ以上の断熱された壁と、
前記コンテナの第１の端部を通して配置された開口部と、
前記第１の端部の反対側の前記コンテナの第２の端部に配置された基部と
を備え、
前記基部は、前記内部容積に面する内部側と、前記内部側の反対側の外部側とを有し、
前記コンテナは、カップホルダの中に収まるようにサイズを決定され、寸法を決定され、かつ適合されている、コンテナと、
前記内部容積に面する内部側と、前記内部側の反対側の外部側とを有する蓋であって、前記蓋は、密閉位置にあるとき、前記開口部を遮断し、前記コンテナから除去されたとき、前記開口部をさらすように、前記開口部を除去可能かつ交換可能に覆い、前記蓋は、
帰還ポートと、
空気入口と、
前記蓋の内側に配置された電動式空気移動機構と
を備え、
前記電動式空気移動機構は、前記空気入口を通して空気を引き込み、前記帰還ポートを通して前記コンテナおよび前記蓋の外部の外部環境に帰還空気を排出する、蓋と、
前記コンテナの内部容積と流体連通する少なくとも１つの空気取り入れポートであって、前記少なくとも１つの空気取り入れポートは、前記デバイスの外部の周囲環境から前記コンテナの内部容積に流入するように供給空気を引き込むために位置付けられている、少なくとも１つの空気取り入れポートと、
前記コンテナの内部容積の中に配置された熱エネルギー濃縮器と
を備え、
前記熱エネルギー濃縮器は、中心空気チャネルを有するマルチチャネル方向性空気流マネージャを備え、前記中心空気チャネルは、前記空気入口と結合され、前記コンテナの内部容積と結合された複数のフィンおよび収納チャンバによって包囲され、
前記蓋が前記コンテナ上の前記密閉位置にあるとき、前記電動式空気移動機構は、動作しており、１つ以上の熱エネルギー貯蔵構成要素が、前記コンテナの内部容積内の複数の収納チャンバの中に配置されており、周囲空気が、前記複数の収納チャンバを通して前記コンテナの内部容積の中へ引き込まれ、前記１つ以上の熱エネルギー貯蔵構成要素を横断し、前記マルチチャネル方向性空気流マネージャの前記中心空気チャネルを通り、前記周囲空気は、前記１つ以上の熱エネルギー貯蔵構成要素による対流を介して、熱的に修正された空気に変換され、前記熱的に修正された空気は、前記少なくとも１つの空気取り入れポートを通して引き込まれる前記周囲空気と異なる温度を有する帰還空気として、前記中心空気チャネルを通り、前記空気入口の中へ入り、前記帰還ポートを通り外へ出ることを続ける、
個人用周囲空気温度修正デバイス。
【請求項９５】
個人用周囲空気温度修正デバイスであって、前記個人用周囲空気温度修正デバイスは、
コンテナであって、前記コンテナは、
内部容積を画定する１つ以上の断熱された壁であって、前記１つ以上の断熱された壁の各々は、前記内部容積に面する内部側と、前記内部側の反対側の外部側とを有する、１つ以上の断熱された壁と、
前記コンテナの第１の端部を通して配置された開口部と
を備えている、コンテナと、
前記内部容積に面する内部側と、前記内部側の反対側の外部側とを有する蓋と
を備え、
前記蓋は、密閉位置にあるとき、前記開口部を遮断し、前記コンテナから除去されたとき、前記開口部をさらすように、前記開口部を除去可能かつ交換可能に覆い、前記蓋は、
電動式空気移動機構と、
閉鎖コンパートメントの網と
を備え、
前記閉鎖コンパートメントの網は、周囲温度空気水分凝結および修正温度空気水分凝結が前記閉鎖コンパートメントの網内に位置する構成要素と接触することを防止するように構成され、
前記閉鎖コンパートメントの網内に位置する前記構成要素は、前記閉鎖コンパートメントの網内に入れられた少なくとも１つ以上の電気的に接続されたスイッチ、プリント回路基板（ＰＣＢ）、発光ダイオード（ＬＥＤ）、およびバッテリを含む、
個人用周囲空気温度修正デバイス。
【発明の詳細な説明】
【技術分野】
【０００１】
（関連出願の引用）
本願は、両出願に共通する全ての主題に対して、同時係属中の米国仮特許出願第６２／３８５，６６９号（２０１６年９月９日出願）に対する優先権およびその利益を主張し、上記仮出願の開示は、その全体が参照により本明細書に引用される。
【０００２】
（発明の分野）
本発明は、暖房または冷房をユーザに提供するために好適な個人用周囲空気温度修正のためのデバイスに関する。具体的には、本発明は、自動車等において見出されるであろうもの等の従来のカップホルダ内に収まるように適合されたコンパクトで容易に携帯用の手持ち式デバイスの中に配置される熱エネルギー貯蔵源から、加熱または冷却された空気流を提供する個人用暖房または冷房デバイスに関する。
【背景技術】
【０００３】
概して、個人用冷房または暖房デバイスは、関連付けられるユーザを冷却または加熱するための意図された目的を伴って設計される種々の形状、サイズ、および機能性において供給される。ユーザは、例えば、移動しながら、屋外で長い期間中イベントに参加しながら、１日中働きながら、そのようなデバイスを頻繁に利用する。例えば、１年の時期に応じて、仕事、遊園地、ハイキング、スポーツイベント、コンサート等に参加するユーザは、携帯用冷房または暖房デバイスの利益を利用することを所望し得る。従来の個人用冷房デバイスの例は、携帯用ファン、スプレーボトル、冷却タオル等を含む。従来の個人用暖房デバイスおよび暖房方法の例は、化学的に活性化されるハンドウォーマ、再充電可能バッテリ動作型ハンドウォーマ、密接に接触して短期間の熱を提供する織物、手袋、ブーツ、およびジャケットにおいて見出されるバッテリ加熱型温熱ヒータ、種々の帽子、手袋、スカーフ等を含む。例示的デバイスまたは方法のうちのいずれかは、ユーザのための追加の暖房または冷房を提供するように組み合わせられることもできる。
【０００４】
しかしながら、これらのデバイスおよび方法は、いくつかの欠点を被る。例えば、利用可能であるバッテリ動作型個人用ファンのうちのいくつかは、ユーザに近接近してユーザによって持ち運ばれ、および／または、装置（例えば、ベビーカー要素）上にクリップ留めされることができるが、しかしながら、そのようなファン設計は、単に、周辺エリアから周囲温度空気を吹きつけ、実際には加熱または冷却された空気をユーザに提供しない。同様に、使用に先立って水でぬらされる（またはファンを伴わずに個別に使用される）噴霧器、スポンジ、もしくはタオルと組み合わせられることもできるいくつかの個人用ファンデバイスは、ファンから外へ空気流の蒸発空気効果を提供する。しかしながら、そのようなデバイスは、単純なファンおよび／または蒸発冷却効果にすぎず、周囲温度空気を十分に修正しないので、単一の手持ち式デバイスを用いて空気を加熱すること、空気を冷却することが可能ではない。概して、当業者およびそのような製品の消費者によって十分に理解されるような、そのような従来の製品に関連付けられる多数の他の欠点が存在する。
【発明の概要】
【課題を解決するための手段】
【０００５】
コンパクトで、携帯用であり、快適に手持ち式であることができ、従来のカップホルダ内に収まるように構成されるデバイスの中で、周辺の周囲温度から修正された温度に加熱もしくは冷却される空気を用いて、暖房および／または冷房をユーザに提供する携帯用個人用デバイスの必要性が存在する。本発明は、他の望ましい特性を有することに加えて、この必要性に対処するためのさらなる解決策を対象としている。具体的には、本発明は、断熱されたコンテナ等と組み合わせて動作し、長期の期間にわたって改良された暖房および冷房をユーザに提供する携帯用の個人用暖房および冷房デバイスを提供する。本発明のデバイスは、例えば、ファンまたは他の動力式空気移動機構等の電動式空気移動機構を使用して、コンテナの内部容積であって、冷房または暖房熱エネルギー貯蔵構成要素と、細長い空気マニホールドとを含む内部容積を通過する周囲温度から生成される低温もしくは高温空気の空気流を提供するコンテナのための電動式蓋を含む。
【０００６】
本発明の例示的実施形態によると、個人用周囲空気温度修正デバイスが提供される。デバイスは、手持ち式であるように適合されたコンテナを含む。コンテナは、内部容積を画定する１つ以上の断熱された壁であって、１つ以上の断熱された壁の各々は、内部容積に面する内部側と、内部側の反対側の外部側とを有する、１つ以上の断熱された壁と、コンテナの第１の端部を通して配置された開口部と、第１の端部の反対側のコンテナの第２の端部に配置された基部であって、基部は、内部容積に面する内部側と、内部側の反対側の外部側とを有する、基部とを含む。コンテナは、カップホルダの中に収まるようにサイズを決定され、寸法を決定され、かつ適合されている。デバイスは、内部容積に面する内部側と、内部側の反対側の外部側とを有する蓋であって、蓋は、密閉位置にあるとき、開口部を遮断し、コンテナから除去されたとき、開口部をさらすように、開口部を除去可能かつ交換可能に覆う蓋も含む。蓋は、帰還ポートと、空気入口と、空気入口を通して空気を引き込み、帰還ポートを通してコンテナおよび蓋の外部の外部環境に帰還空気を排出する蓋の内側に配置された電動式空気移動機構とを含む。デバイスは、コンテナの内部容積と流体連通する少なくとも１つの空気取り入れポートであって、少なくとも１つの空気取り入れポートは、デバイスの外部の周囲環境からコンテナの内部容積に流入するように供給空気を引き込むために位置付けられている、少なくとも１つの空気取り入れポートをさらに含む。デバイスは、コンテナの内部容積の中に配置された熱エネルギー濃縮器も含む。熱エネルギー濃縮器は、第１の端部における空気漏斗開口部と、第２の端部における取り入れ開口部とを有する細長い空気マニホールドを含み、空気漏斗開口部は、空気入口と流体的に結合され、取り入れ開口部は、コンテナの内部容積と流体的に結合される。蓋がコンテナ上の密閉位置にあるとき、電動式空気移動機構は、動作しており、１つ以上の熱エネルギー貯蔵構成要素が、コンテナの内部容積の中に配置されており、周囲空気が、少なくとも１つの空気取り入れポートを通して引き込まれ、コンテナの内部容積の中へ入り、１つ以上の熱エネルギー貯蔵構成要素を横断し、細長い空気マニホールドの第２の端部における取り入れ開口部を通り、細長い空気マニホールドを通り、周囲空気は、１つ以上の熱エネルギー貯蔵構成要素および細長い空気マニホールドによる対流を介して、熱的に修正された空気に変換され、熱的に修正された空気は、少なくとも１つの空気取り入れポートを通して引き込まれる周囲空気と異なる温度を有する帰還空気として、空気漏斗開口部を通り、空気入口の中へ入り、帰還ポートを通って外へ出ることを続ける。
【０００７】
本発明の側面によると、少なくとも１つの空気取り入れポートを通して引き込まれる周囲空気と異なる温度を有する帰還空気は、少なくとも華氏２度の温度差を備えている。コンテナは、二重壁構成の壁の間に配置された空隙を有する二重壁構成を有することができる。コンテナは、二重壁構成の壁の間に配置された１つ以上の断熱材料を有する二重壁構成を有することができる。コンテナの内部容積は、約１０オンス、約１５オンス、約２０オンス、約２４オンス、約３０オンス、約３６オンス、約４０オンス、約４５オンス、約５０オンス、約５５オンス、または約６０オンスのうちの１つであることができる。コンテナは、プラスチック、複合材料、金属、ゴム、エラストマ材料、非エラストマ材料、またはそれらの組み合わせのうちの１つ以上のものから製造されることができる。
【０００８】
本発明の側面によると、デバイスは、蓋の周りに配置され、蓋がコンテナ上の密閉位置にあるときにコンテナ開口部と係合するように構成されるガスケットシールをさらに含むことができる。デバイスは、蓋の周りに配置され、蓋がコンテナ上の密閉位置にあるときにコンテナ開口部と係合するように構成されるエラストマガスケットシールであって、コンテナ開口部と蓋との間の振動抑制、雑音低減、および熱保存を提供する、エラストマガスケットシールをさらに含むことができる。デバイスは、摩擦もしくは締まり嵌め、ラッチ機構、またはねじ山付き結合部のうちの１つから成る、蓋とコンテナとの間の機械的結合部をさらに含むことができる。デバイスは、内部容積に面する内部側に近接して蓋の中に配置された断熱挿入物をさらに含むことができる。断熱挿入物は、非毒性断熱プラスチック発泡挿入物、断熱複合材料、またはそれらの組み合わせを含むことができる。断熱挿入物は、振動抑制、音抑制、または両方であり得る。断熱挿入物は、蓋がコンテナ上の密閉位置であるとき、少なくとも１つの空気取り入れポートとコンテナの内部容積との間の流体連通を提供する１つ以上の空気取り入れチャネルを含むことができる。断熱挿入物は、除去可能、洗浄可能、および再利用可能であり得る。
【０００９】
本発明の側面によると、電動式空気移動機構は、曲線状のファンの羽根、平坦なファンの羽根、またはそれらの組み合わせを有する遠心ファンを含む。熱エネルギー濃縮器は、多孔質材料または非多孔質材料から成ることができる。熱エネルギー濃縮器は、その長さの全体を通して複数の穿孔を含むことができる。
【００１０】
本発明の側面によると、細長い空気マニホールドは、第１の端部における空気漏斗を第２の端部における取り入れ開口部と流体的に結合する１つの中心チャネルを有することができる。細長い空気マニホールドは、第１の端部における空気漏斗を第２の端部における取り入れ開口部と流体的に結合する複数のチャネルを有することができる。細長い空気マニホールドは、複数の側壁開口部を有することができる。細長い空気マニホールドは、複数の熱伝導性表面特徴を有することができる。細長い空気マニホールドは、平滑な線形表面に対して細長い空気マニホールドの熱伝導性表面積を増加させるフィン、輪郭、指状突起、またはそれらの組み合わせのうちの１つ以上のものを備えている複数の熱伝導性表面特徴を有することができる。細長い空気マニホールドは、蓋がコンテナと結合されると、細長い空気マニホールドが氷を脇へ押しやるように、コンテナが角氷、砕かれた氷、および／または削られた氷で充填されている場合、テーパ状構成がアイスデフレクタであるような方法で、テーパ状構成のより狭い端部が第２の端部における取り入れ開口部に近接するテーパ状構成を有することができる。細長い空気マニホールドは、コンテナの内側に配置される１つ以上の熱エネルギー貯蔵構成要素と係合するために細長い空気マニホールドの外面に沿って配置された支柱、スロット、リブ、またはカップから成る群から選択される取り付け手段をさらに含むことができる。デバイスは、帰還ポートと除去可能かつ交換可能に結合される帰還空気送達管をさらに含むことができる。
【００１１】
本発明の側面によると、熱エネルギー濃縮器は、蓋と除去可能かつ交換可能に結合される。熱エネルギー濃縮器は、蓋と恒久的に結合されることができる。熱エネルギー濃縮器は、摩擦もしくは締まり嵌め、ラッチ機構、またはねじ山付き結合部を介して蓋と除去可能かつ交換可能に結合されることができる。熱エネルギー濃縮器は、コンテナの内部容積の中に配置された１つ以上の熱エネルギー貯蔵構成要素から熱エネルギーを受け取るように適合されることができる。熱エネルギー濃縮器は、コンテナの内部容積の中に配置された１つ以上の熱エネルギー貯蔵構成要素から熱エネルギーを受け取るように適合されることができ、１つ以上の熱エネルギー貯蔵構成要素は、高温もしくは低温ゲルパック、熱を発生させるための酸化鉄パウチ、氷、またはそれらの組み合わせを備えている。熱エネルギー濃縮器は、折り畳まれた１つ以上の熱エネルギー貯蔵構成要素から熱エネルギーを受け取るように適合されることができる。
【００１２】
本発明の側面によると、デバイスは、バッテリ収納チャンバをさらに含む。デバイスは、デバイスの中に配置された再充電可能バッテリ収納をさらに含むことができる。デバイスは、電動式空気移動機構が無線通信構成要素を介して制御機構と無線通信する別個のデバイスによって制御可能であるような方法で、電動式空気移動機構動作を制御している制御機構と結合された無線通信構成要素をさらに含むことができる。デバイスは、無線周波数（ＲＦ）、Ｗｉ−Ｆｉ、セルラー、Ｂｌｕｅｔｏｏｔｈ（登録商標）、Ｂｌｕｅｔｏｏｔｈ（登録商標）  Ｌｏｗ  Ｅｎｅｒｇｙ、パーソナルエリアネットワーク（ＰＡＮ）、短波長ＵＨＦ、またはそれらの組み合わせのうちの１つ以上のものを使用して無線で通信するように構成された無線通信構成要素をさらに含むことができる。デバイスは、バッテリ充電のための磁気電源コード取り付けのために装備された磁気電源コード受け取り器結合部を有するバッテリカバードアをさらに含むことができる。デバイスは、蓋上の密閉および閉鎖位置にあるときに耐候性または防水のバッテリカバードアをさらに含むことができる。
【００１３】
本発明の側面によると、バッテリカバードアと、耐候性スイッチと、突出リブ要素と、ハンドルとを含む蓋の外部側は、極端な周囲温度または日光の中での蓋による熱吸収を低減させるための非熱吸収の材料、仕上げ、または色で構築される。デバイスは、１つ以上の可動ドアを閉鎖することによってコンテナの内側に収納された熱エネルギーを維持するために、少なくとも１つの空気取り入れポートへのアクセスを閉鎖または開放するように位置付けられ、かつ構成される１つ以上の可動ドアをさらに含むことができる。デバイスは、電動式空気移動機構の動作を制御する制御機構のためのコマンドに変換される音声コマンドを受信するように構成されたマイクロホンをさらに含むことができる。デバイスは、１０ポンド未満、好ましくは、５ポンド未満、より好ましくは、２ポンド未満の重量であることができる。デバイスは、電動式空気移動機構の動作を制御するための耐候性オン／オフスイッチをさらに含むことができる。
【００１４】
本発明の側面によると、デバイスは、１つ以上の耐候性オン／オフスイッチ、可変速度スイッチ、ＬＥＤインジケータを有する１つ以上の耐候性スイッチ、デジタル表示画面を有する１つ以上の耐候性スイッチ、電動式空気移動機構のオン／オフ動作を制御するように構成された１つ以上のタイマ、またはそれらの組み合わせをさらに含むことができる。デバイスは、ＵＳＢ、マイクロＵＳＢ、マルチピンドックコネクタ、および照明電源コネクタから成る群から選択される受電機ポートをさらに含むことができる。デバイスは、個人用周囲空気温度修正デバイスと結合された太陽光発電源をさらに含むことができる。デバイスは、表面上に設置されたときにデバイスが置かれている個人用周囲空気温度修正デバイスの底面上に配置された滑り止め振動吸収または振動抑制基部をさらに含むことができる。
【００１５】
本発明の側面によると、デバイスは、蓋から延びているキャリーハンドルをさらに含むことができる。デバイスは、蓋から延びているキャリーハンドルをさらに含むことができ、キャリーハンドルは、回転することなく平面上への個人用周囲空気温度修正デバイスの水平設置を可能にするように構成される。デバイスは、蓋から延びているキャリーハンドルをさらに含むことができ、キャリーハンドルは、偶発的なオン／オフスイッチアクティブ化を阻止し、外部電源に接続されているときの偶発的な電源コード除去を阻止するように構成される。デバイスは、蓋から延びているキャリーハンドルをさらに含むことができ、キャリーハンドルおよびバッテリカバータブは、個人用周囲空気温度修正デバイスの動作中、タブおよび蓋の上で十分な視認角度において携帯電話またはモバイルタブレットデバイスを支持するようにサイズを決定され、寸法を決定され、構成され、かつ適合される。
【００１６】
本発明の側面によると、デバイスは、常夜灯をさらに含むことができる。デバイスは、個人用周囲空気温度修正デバイスの周囲に適合するようにサイズを決定され、寸法を決定され、かつ構成された除去可能な断熱ジャケットカバーをさらに含むことができる。デバイスは、空気温度を感知するための個人用周囲空気温度修正デバイス上に配置された温度センサをさらに含むことができる。デバイスは、水霧を帰還ポートに供給するための超音波電子水霧発生器をさらに含むことができる。デバイスは、芳香を帰還ポートに供給する芳香拡散器手段をさらに含むことができる。デバイスは、空気フィルタをさらに含むことができる。デバイスは、帰還ポート、取り付け可能な送達管、または両方に結合された空気フィルタをさらに含むことができる。デバイスは、洗浄可能かつ再利用可能な空気フィルタをさらに含むことができる。デバイスは、使い捨て空気フィルタをさらに含むことができる。デバイスは、炭素成分から成る空気フィルタをさらに含むことができる。デバイスは、ＨＥＰＡ空気フィルタをさらに含むことができる。
【００１７】
本発明の側面によると、デバイスは、無線または充電器への有線接続を用いて充電可能な再充電可能バッテリを用いて給電される。デバイスは、バッテリ寿命インジケータ表示をさらに含むことができる。デバイスは、温度表示をさらに含むことができる。デバイスは、少なくとも華氏２度周囲空気温度を修正することができる。デバイスは、凝結または液体源と結合された水霧発生器をさらに含むことができる。デバイスは、個人用周囲空気温度修正デバイスが、それによって、コンテナ内の熱エネルギーを保存するとき、ドアが閉鎖され得るような方法で、少なくとも１つの空気取り入れポートを遮断するため閉鎖可能であり、少なくとも１つの空気取り入れポートへのアクセスを提供するために開放可能であるドアをさらに含むことができる。
【００１８】
本発明の側面によると、細長い空気マニホールドは、コンテナ内の設置およびそこからの除去のための１つ以上の熱エネルギー発生デバイス取り付け手段を含む。個人用周囲空気温度修正デバイスは、２度以上の局所的体温修正を提供するように構成されることができる。電動式空気移動機構は、ファンの羽根のタービンファン構成で構築されることができる。帰還ポートが生物に十分に近く設置されている場合、２度以上の局所温度変化または表面温度効果をもたらす。
【００１９】
本発明の例示的実施形態によると、個人用周囲空気温度修正デバイスが提供される。デバイスは、手持ち式であるように適合されたコンテナを含む。コンテナは、内部容積を画定する１つ以上の断熱された壁であって、１つ以上の断熱された壁の各々は、内部容積に面する内部側と、内部側の反対側の外部側とを有する、１つ以上の断熱された壁と、コンテナの第１の端部を通して配置された開口部と、第１の端部の反対側のコンテナの第２の端部に配置された基部であって、基部は、内部容積に面する内部側と、内部側の反対側の外部側とを有する、基部とを含む。コンテナは、カップホルダの中に収まるようにサイズを決定され、寸法を決定され、かつ適合されている。デバイスは、内部容積に面する内部側と、内部側の反対側の外部側とを有する蓋であって、蓋は、密閉位置にあるとき、開口部を遮断し、コンテナから除去されたとき、開口部をさらすように、開口部を除去可能かつ交換可能に覆う蓋も含む。蓋は、帰還ポートと、空気入口と、空気入口を通して空気を引き込み、帰還ポートを通してコンテナおよび蓋の外部の外部環境に帰還空気を排出する蓋の内側に配置された電動式空気移動機構とを含む。デバイスは、コンテナの内部容積と流体連通する少なくとも１つの空気取り入れポートであって、少なくとも１つの空気取り入れポートは、デバイスの外部の周囲環境からコンテナの内部容積に流入するように供給空気を引き込むために位置付けられている、少なくとも１つの空気取り入れポートをさらに含む。デバイスは、コンテナの内部容積の中に配置された熱エネルギー濃縮器も含む。熱エネルギー濃縮器は、空気入口と結合され、コンテナの内部容積と結合される複数のフィンおよび収納チャンバによって包囲される中心空気チャネルを有するマルチチャネル方向性空気流マネージャを含む。蓋がコンテナ上の密閉位置にあるとき、電動式空気移動機構は、動作しており、１つ以上の熱エネルギー貯蔵構成要素が、コンテナの内部容積内の複数の収納チャンバの中に配置されており、周囲空気が、複数の収納チャンバを通して、コンテナの内部容積の中へ引き込まれ、１つ以上の熱エネルギー貯蔵構成要素を横断し、マルチチャネル方向性空気流マネージャの中心空気チャネルを通り、周囲空気は、１つ以上の熱エネルギー貯蔵構成要素による対流を介して、熱的に修正された空気に変換され、熱的に修正された空気は、少なくとも１つの空気取り入れポートを通して引き込まれる周囲空気と異なる温度を有する帰還空気として、中心空気チャネルを通り、空気入口の中へ入り、帰還ポートを通って外へ出ることを続ける。
【００２０】
本発明の側面によると、複数の収納チャンバは、複数のフィンによって作成される。デバイスは、複数の収納チャンバを中心空気チャネルと結合する複数の空気流チャネルをさらに含むことができる。マルチチャネル方向性空気流マネージャは、コンテナの固定部分であり得る。マルチチャネル方向性空気流マネージャは、コンテナの除去可能部分であり得る。マルチチャネル方向性空気流マネージャは、熱エネルギー貯蔵構成要素であり得る。
【００２１】
本発明の側面によると、デバイスは、電動式空気移動機構の動作中の使用のための無線バッテリ動作型Ｂｌｕｅｔｏｏｔｈ（登録商標）またはＷｉ−Ｆｉ対応型スピーカをさらに含む。再充電可能バッテリは、有線接続によって、または無線充電手段によって、携帯電話、タブレット、またはコンピューティングデバイス等の再充電可能バッテリ動作型デバイスを充電するように構成されることができる。デバイスは、蓋内にＬＥＤ、バッテリ接続、コンセント、Ｗｉ−Ｆｉ、およびＢｌｕｅｔｏｏｔｈ（登録商標）構成要素を含むプリント回路基板をさらに含むことができる。デバイスは、モータ速度インジケータ（ＬＥＤ）、Ｗｉ−Ｆｉ接続インジケータもしくは表示、および／またはオン／オフインジケータ（ＬＥＤ）をさらに含むことができる。デバイスは、帰還ポートを通して種々の薬剤をユーザに供給するための薬剤拡散器をさらに含むことができる。デバイスは、触れられたときに点灯し、所定の期間後にオフになる照射電源アイコンボタンをさらに含むことができる。デバイスは、デバイスがオンであるときに照射され、デバイスがオフであるときに照射されないＬＥＤ電源インジケータをさらに含むことができる。電源インジケータは、オン／オフスイッチボタンの周囲の円光であり得る。
【００２２】
本発明の側面によると、デバイスは、電動式空気移動機構の残存バッテリ電力または速度を示すための１つ以上のＬＥＤインジケータをさらに含む。デバイスは、温度ＬＥＤに結合された内部温度センサをさらに含むことができ、温度ＬＥＤは、冷たい空気温度のための寒色および暖かい空気温度のための暖色を照射する。デバイスは、コンテナまたは蓋がぬれているときに滑り止めグリップを提供するための耐候性ソフトタッチコーティングをさらに含むことができる。耐候性ソフトタッチコーティングは、蓋の外面の５％またはそれを上回る上にあり得る。コンテナは、形状によって種々の手のサイズに適合するようにサイズを決定されていることができる。形状は、円形、正方形、輪郭、六角形、広口、輪郭、またはテクスチャ加工のうちの少なくとも１つを含むことができる。コンテナは、最大１５０％までの８０％を上回るコンテナ幅に対する振動吸収基部を有することができる。細長い空気マニホールド長の長さ対幅比は、電動式空気移動機構の直径の１０％を上回り得る。デバイスは、ヒンジを有する耐候性バッテリカバーと、振動防止、温度保存、および遮音性質を有するクリップ閉鎖部とをさらに含むことができる。
【００２３】
本発明の例示的実施形態によると、個人用周囲空気温度修正デバイスが提供される。デバイスは、コンテナを含む。コンテナは、内部容積を画定する１つ以上の断熱された壁であって、１つ以上の断熱された壁の各々は、内部容積に面する内部側と、内部側の反対側の外部側とを有する、１つ以上の断熱された壁と、コンテナの第１の端部を通して配置された開口部とを含む。コンテナは、内部容積に面する内部側と、内部側の反対側の外部側とを有する蓋であって、蓋は、密閉位置にあるとき、開口部を遮断し、コンテナから除去されたとき、開口部をさらすように、開口部を除去可能かつ交換可能に覆う蓋も含む。蓋は、電動式空気移動機構と、周囲温度空気水分凝結および修正温度空気水分凝結が閉鎖コンパートメントの網内に位置する構成要素と接触することを防止するように構成される閉鎖コンパートメントの網とを含む。閉鎖コンパートメントの網内に位置する構成要素は、少なくとも、閉鎖コンパートメントの網内に入れられる、１つ以上の電気的に接続されたスイッチと、プリント回路基板（ＰＣＢ）と、発光ダイオード（ＬＥＤ）と、バッテリとを含む。
【００２４】
本発明によると、本明細書に開示および説明される種々の実施形態は、任意の動作可能な組み合わせで交換可能であり、当業者によって理解されるであろうように、本発明の範囲内に入ると見なされる。
【図面の簡単な説明】
【００２５】
本発明のこれらおよび他の特性は、添付の図面と併せて、以下の発明を実施するための形態を参照することによって、より完全に理解されるであろう。
【図１】図１は、本発明の実施形態による、個人用周囲空気温度修正デバイスの断面図である。
【図２Ａ】図２Ａは、図１のデバイスの蓋および細長い空気マニホールド構成要素の側面図である。
【図２Ｂ】図２Ｂ、２Ｃ、２Ｄ、および２Ｅは、図２Ａに示される蓋および空気マニホールド構成要素の切断図である。
【図２Ｃ】図２Ｂ、２Ｃ、２Ｄ、および２Ｅは、図２Ａに示される蓋および空気マニホールド構成要素の切断図である。
【図２Ｄ】図２Ｂ、２Ｃ、２Ｄ、および２Ｅは、図２Ａに示される蓋および空気マニホールド構成要素の切断図である。
【図２Ｅ】図２Ｂ、２Ｃ、２Ｄ、および２Ｅは、図２Ａに示される蓋および空気マニホールド構成要素の切断図である。
【図３】図３Ａ、３Ｃ、および３Ｃは、空気マニホールドの代替物としてマルチチャネル方向性空気流マネージャを描写する。
【図４】図４は、そこから延びている延長ホースを伴う図２Ａの蓋の側面図である。
【図５】図５は、デバイスの使用の方法を描写する例証的フローチャートである。
【発明を実施するための形態】
【００２６】
本発明の例証的実施形態は、個人用周囲空気温度修正デバイスに関する。デバイスは、手持ち式液体または氷コンテナ（例えば、タンブラ、魔法瓶等）等の断熱されたコンテナと組み合わせて、除去可能電動式蓋を含む。蓋は、可変速度ファン等の動力式または電動式空気移動機構を含み、蓋は、細長い空気マニホールドと結合され、細長い空気マニホールドは、熱エネルギー貯蔵デバイスが存在し得る断熱されたコンテナの内部容積の中へ延びている。随意の位置付け可能であり、曲げ可能かつ可撓な管が、修正温度空気流をユーザに向かわせ、局所的な有益温度修正を生じさせるように、帰還ポートと結合されることができる。蓋、コンテナ、電動式空気移動機構、熱エネルギー貯蔵、および細長い空気マニホールドの組み合わせられたアセンブリは、本発明のデバイスを形成する。組み立てられたデバイスは、任意の適切なサイズの熱エネルギー貯蔵構成要素（例えば、氷、酸化鉄、または熱保存ゲル材料、もしくは温熱バッテリ発熱システム）との使用のためのコンテナ電動式蓋を伴う個人用サイズの携帯用コンテナを提供し、熱エネルギー貯蔵構成要素は、周囲温度空気を調整または修正し、周囲温度空気は、（例えば、空気取り入れおよび空気マニホールドを介して）デバイスの中へ、かつそれを通して引き込まれ、修正された温度（デバイスの中に引き込まれた周囲空気温度から加熱されるか冷却されるかのいずれかである）を有し、蓋内の空気帰還開口部を介してユーザへ外に戻される。
【００２７】
加えて、随意の可撓性かつ延長可能な管が、異なる環境温度条件における本発明のデバイスの近接近個人使用を対象とする修正周囲温度空気の近接近性を可能にするように、デバイス上の帰還ポートに取り付けられることができる。さらに、デバイス全体は、自動車において見出されるであろうように、特に、コンテナの実施形態で実装されるとき、従来のカップホルダ内に収まるようにサイズを決定され、寸法を決定され、かつ構成されている。故に、本発明は、二重壁断熱コンテナ（手持ち式液体コンテナ等の液体コンテナ等）、具体的には、長期の期間にわたって冷水または温水温度を保ち、そのような断熱能力を活用して、内部加熱または冷却構成要素に空気流をさらすこと（空気流は、構成要素にわたって、細長い空気マニホールドを通して、蓋が定位置で密閉されたデバイスから外へ通る）によって、加熱または冷却機能性を提供し得るコンテナの既知の熱格納利益を利用するように構成される。蓋およびコンテナは、随意に、静かな動作のための種々の振動および音吸収手段を含むこと、傾斜および／またはぬれた表面上での滑り止め設置を提供すること、および、異なる温度表面上での断熱温度保存を提供することができる。
【００２８】
単に周囲空気を移動させるために局所的空気流を利用するか、または、おそらく、ある程度の水霧もしくは蒸気を追加し、蒸発冷却効果を活用する従来の個人用ファンシステムと異なり、本発明のシステムおよび方法は、周囲温度空気がコンテナの内部容積を通して流動し、所望の構成に応じて加熱または冷却され、コンテナから外へ戻され、ユーザに送達されることを可能にし、局所的温度修正利益、別名、空気の加熱または冷却を生じさせる電動式蓋空気移動アセンブリおよび特有の内部空気マニホールドを伴う二重壁コンテナの使用によって、周辺外部環境内の周囲空気温度を有意に修正する。特に、周囲温度空気は、本発明のコンテナデバイスの内部容積の中へ引き込まれ、周囲温度空気は、（ユーザが冷房または暖房を体験することを所望するかどうかに応じて）デバイス内に収納される内容物によって冷却もしくは加熱され、結果として生じる冷たいまたは暖かい空気は、コンテナデバイスの内部容積から外へ戻され、ユーザに送達される。デバイスから戻される修正された空気は、本発明のデバイスを用いて、何時間にもわたって十分な周囲空気温度修正を提供することが証明されている。周囲温度の変化は、二重壁断熱コンテナ内に設置され、内部容積の中に配置される具体的に構成された細長い空気マニホールドと組み合わせられ、修正された空気をユーザに向かわせられる帰還ポート（または結合された管）に向かわせる熱エネルギー貯蔵構成要素から生成される。要するに、本発明は、ユーザへの空気流温度の有意な変化を生じさせるための内部空気チャネル手段と、手持ち式液体コンテナサイズの電動式蓋アセンブリとの両方を採用する。
【００２９】
同様の部品が全体を通して同様の参照番号によって指定される図１から４は、本発明による、個人用周囲空気温度修正デバイスの１つまたは複数の例示的実施形態を図示する。本発明は、図に図示される１つまたは複数の例示的実施形態を参照して説明されるであろうが、多くの代替形態が本発明を具現化し得ることを理解されたい。当業者は、加えて、依然として、本発明の精神および範囲を保つ様式において、サイズ、形状、または要素もしくは材料のタイプ等の開示される実施形態のパラメータを改変する異なる方法を理解するであろう。
【００３０】
図１−５は、本発明による、個人用周囲空気温度修正デバイス１００および使用方法の例証的実施形態を描写する。特に、図１は、自動車、自転車、長椅子、キャピングチェア、クーラ等において見出されるであろうような従来のカップホルダに適合し、それによって保持されるようにサイズを決定され、寸法を決定され、かつ構成された手持ち式液体コンテナ１０２として同様にサイズを決定され、寸法を決定され、かつ構成されたコンテナ１０２を含むデバイス１００を描写する。本発明の例示的実施形態によると、コンテナ１０２は、内部容積１０５を画定する１つ以上の断熱された壁１０４を含み、１つ以上の断熱された壁１０４の各々は、内部容積１０５に面する内部側１１２と、内部側の反対側の外部側とを有する。内部容積１０５は、本発明による使用のための飲料および他の物質（例えば、温度修正物質）を保持するように構成される。加えて、一例示的実装では、１つ以上の断熱された壁１０４は、二重壁構成を有する（壁の間の空隙は、当業者によって理解されるであろうように、壁が断熱性と見なされる機構である）。
【００３１】
コンテナ１０２は、コンテナの第１の端部１０７を通して配置される開口部１０６をさらに含む。基部１０８は、第１の端部の反対側のコンテナ１０２の第２の端部に配置され、基部１０８は、内部容積１０５に面する内部側１１３と、コンテナ１０２が表面上に置かれている内部側の反対側の外部側とを有する。本発明の例示的実施形態によると、コンテナ１０２は、コンテナ１０２の基部１０８の外部側に配置される滑り止め振動吸収層１０９をさらに含み、振動吸収層１０９は、表面上に位置するとき、コンテナ１０２が振動吸収層１０９上に置かれているような方法で構成される。振動吸収層１０９は、コンテナ１０２が置かれている表面まで、例えば、動作中に電動式ファン１２０によって発生されるいかなる振動の移動も最小化し、それによって、より静かな動作を維持するように構成される。振動吸収層は、表面における電動式ファン１２０の雑音を低減させ、故に、より静かな動作を引き起こすことによって、音に遮音利益も提供する。振動吸収層は、外面／周囲空気温度がコンテナ１０２の内部温度を修正しないように、温度保存断熱利益をさらに提供し、コンテナ１０２の内部温度を保存する。
【００３２】
当業者によって理解されるであろうように、コンテナ１０２は、約６オンス、約８オンス、約１０オンス、約１２オンス、約１５オンス、約１６オンス、約２０オンス、約２４オンス、約３０オンス、約３６オンス、約４０オンス、約４５オンス、約５０オンス、約５５オンス、または約６０オンスの内部容積１０５を伴う標準サイズカップホルダの中に収まる円形、正方形、三角形、もしくは六角形を含む任意の幾何学的形状で設計されることができる。同様に、コンテナ１０２の長さと幅の比は、コンテナの設計および好ましい内部容積１０５に応じて変動し得る。例えば、コンテナの振動吸収層基部幅対壁幅比は、最大１５０％までの８０％を上回り得る。加えて、コンテナ１０２は、手のサイズにかかわらず、異なる手のサイズを伴うユーザがコンテナ１０２を容易に取り扱うことを可能にするための汎用グリップ形状を含むことができる。例えば、コンテナ１０２は、限定されないが、任意の幾何学的形状、テーパ形状、広口形状、輪郭形状等を含む異なる形状／グリップ区分を含むことができる。
【００３３】
当業者によって理解されるであろうように、コンテナ１０２およびその構成要素は、当技術分野で公知である任意の材料から構築され、任意のサイズにスケーリングされることができる。例えば、コンテナ１０２は、プラスチック、複合材料、金属、ゴム、エラストマ材料、非エラストマ材料、またはそれらの組み合わせのうちの１つ以上のものから製造されることができる。加えて、コンテナ１０２は、当技術分野で公知である任意のタイプのコーティングおよび／または外部仕上げを含むことができる。例えば、コンテナ１０２は、異なる気象条件において滑り止めグリップを提供するための耐候性ソフトタッチコーティング（例えば、電動式蓋１１０の５％以上の外部表エリア上の２ショット硬質プラスチックおよび軟質エラストマエリア）を含むことができる。
【００３４】
図１を継続すると、個人用周囲空気温度修正デバイス１００は、蓋１１０も含む。蓋１１０は、蓋１１０が密閉位置にあるとき、開口部１０６を遮断し、非密閉位置にあるとき、またはコンテナ１０２から除去されたとき、開口部１０６をさらすような方法で、コンテナ１０２の開口部１０６を除去可能かつ交換可能に覆う。コンテナ１０２の内部側１１２は、コンテナ１０２の内部容積１０５および内部側１１２の反対側の外部側１１４に面するように構成される。当業者によって理解されるであろうように、蓋１１０は、標準サイズカップホルダの中に収まる二重壁熱エネルギー保持コンテナ１０２の開口部１０６形状に合致する円形、正方形、三角形、または六角形を含む任意の幾何学的形状で設計されることができる。
【００３５】
図２Ａ−２Ｅは、図１に示されるような蓋１１０の複数の詳細な例証的例を描写する。本発明の例示的実施形態によると、蓋１１０は、空気取り入れポート１１６と、帰還ポート１１８と、電動式ファン１２０等の電動式空気移動機構とを含み、電動式空気移動機構は、蓋１１０の内側に配置され、空気入口１２２を介して細長い空気マニホールド１２４を通して空気を引き込み、帰還ポート１１８を通してコンテナ１０２および蓋１１０の外部環境１１１に帰還空気を排出するように構成される。例証的実施形態における電動式空気移動機構は、電動式ファン１２０として描写されていることに留意されたい。しかしながら、当業者は、本発明の寸法および電力要件内に適合する限り、任意の好適な空気移動機構が利用され得ることを理解するであろう。簡潔にする目的のために、空気移動機構は、本発明の全体を通して電動式ファン１２０と称されるが、本発明は、ファン特定の機構のみに限定されない。ファンの任意の言及は、限定されないが、ファン、タービン、加圧容器、空気ノズル、空気ポンプ等を含む全てのそのような好適な電動式空気移動機構を包含することを意図している。
【００３６】
少なくとも１つの空気取り入れポート１１６は、コンテナ１０２の内部容積１０５と流体連通する。特に、少なくとも１つの空気取り入れポート１１６は、コンテナ１０２の内部容積１０５の中へ、（デバイス１００の外部の）周囲外部環境１１１からデバイス１００に供給空気を引き込むように構成され、位置付けられる。当業者によって理解されるであろうように、少なくとも１つの空気取り入れポート１１６は、蓋１１０の全体を通して、複数の切り込み、フィルタ、および場所を含むことができる。例えば、少なくとも１つの空気取り入れポート１１６は、コンテナ１０２の第１の端部の近位に配置されることができる。同様に、少なくとも１つの空気取り入れポート１１６は、蓋１１０の中に配置されることに加えて、または代替として、コンテナ１０２の断熱された壁１０４の上部分の中に位置し得る。
【００３７】
帰還ポート１１８は、本発明によって生成される修正された（例えば、加熱または冷却された）空気流をユーザに提供するために利用される。帰還ポート１１８は、ユーザが所望の方向に帰還空気を向かわせることを可能にするように、固定されるは、関節運動可能であるか、またはそれらの組み合わせであり得る。それは、残渣または小指が電動式ファン１２０の羽根に進入することを防止するための内部に位置する安全グリルを含むこともできる。
【００３８】
本発明の例示的実施形態によると、ファン１２０は、伝統的な平坦な羽根のファン設計よりも少ない雑音を生成しながら、より小さい空間内で改良された推進を可能にする複数の曲線状の羽根を含む遠心またはタービンファンである。より具体的には、コンパクトなタービン翼設計は、大量の空気流雑音を伴わずに、コンパクトな空間を通した周囲温度対流のために理想的である効率的な真空発生および帰還ポート推進を伴うコンパクトな電動式ファン筐体内でさらなる熱エネルギー対流を可能にする。加えて、遠心またはタービンファン設計は、熱的に変化させられた排出空気流のコンパクトな空気流効率および温度保存のために、帰還ポート１１８がファン１２０のためのモータシャフトに対して９０度に位置することを可能にする。当業者によって理解されるであろうように、電動式遠心ファン１２０は、曲線状のファンの羽根、平坦なファンの羽根、または傾斜したファンの羽根の任意の組み合わせを含むことができる。同様に、任意のタイプのファン設計または他の機構が、本発明の範囲から逸脱することなく、外部環境１１１からデバイス１００の中へ空気を引き込み、帰還ポート１１８を通して空気帰還を排出するために利用されることができる。
【００３９】
ファン１２０が外部環境１１１から空気を引き込むと、ファン１２０は、コンテナ１０２の内部容積１０５から、空気入口１２２および細長い空気マニホールド１２４を通して修正温度空気を引き込み、帰還ポート１１８を通してその空気を排出する。空気入口１２２は、ファン１２０の中心点の下に位置付けられ、ファン１２０の取り入れ側の任意の場所に位置することができる。ファン１２０は、ファン１２０の羽根の中心に近い空気入口１２２を通して空気を引き込み、ファンの羽根に沿って帰還ポート１１８に、空気を外へ分配する。蓋１１０がコンテナ１０２上で密閉位置にあるとき、電動式遠心ファン１２０は、動作しており、１つ以上の熱エネルギー貯蔵構成要素１２１は、コンテナ１０２の内部容積１０５の中に配置され、外部環境１１１からの周囲空気が、少なくとも１つの空気取り入れポート１１６を通して、コンテナ１０２の内部容積１０５の中へ、１つ以上の熱エネルギー貯蔵構成要素１２１を横断して引き込まれる。空気は、細長い空気マニホールド１２４を通して、細長い空気マニホールド１２４の第２の端部における取り入れ開口部１２３を通過し、流動し続け、周囲空気は、１つ以上の熱エネルギー貯蔵構成要素１２１および細長い空気マニホールド１２４による対流を介して、熱的に修正された空気に変換される。熱的に修正された空気は、次いで、少なくとも１つの空気取り入れポート１１６を通して引き込まれる周囲空気と異なる温度を有する帰還空気として、空気漏斗１２７開口部を通して、空気入口１２２の中へ、帰還ポート１１８を通して外へ進み続ける。当業者によって理解されるであろうように、細長い空気マニホールド１２４は、それを通して進行する空気の温度が修正されるであろうように、十分に長い。
【００４０】
本発明の例示的実施形態によると、空気入口１２２は、ファンの下に位置付けられている細長い空気マニホールド１２４に結合され、空気マニホールド１２４は、コンテナ１０２の内部容積１０５の中へ延びている。細長い空気マニホールド１２４は、第１の端部における空気漏斗１２７開口部と、第２の端部における取り入れ開口部１２３とを有し、図１に描写されるように、空気漏斗１２７開口部は、空気入口１２２と流体的に結合され、取り入れ開口部１２３は、コンテナ１０２の内部容積１０５と流体的に結合される。当業者によって理解されるであろうように、空気マニホールド１２４は、空気入口１２２を介したコンテナ１０２の内部容積１０５の中および外への空気の流動を促進するための種々の設計を有することができる。例えば、空気マニホールド１２４は、第１の端部における空気漏斗１２７を第２の端部における取り入れ開口部と流体的に結合する１つの中心チャネルを有することができる、または空気マニホールド１２４は、第１の端部における空気漏斗１２７を第２の端部における取り入れ開口部と流体的に結合する複数のチャネルを有することができる。同様に、細長い空気マニホールド１２４の長さ対幅の比は、コンテナ１０２およびコンテナ１０２の内部容積１０５のサイズならびに寸法に基づいて変動し得る。例えば、細長い空気マニホールド１２４の長さ対幅比は、ファン直径の１０％を上回り得る。
【００４１】
加えて、空気マニホールド１２４は、コンテナ１０２の内部容積１０５の全体を通した空気流の分布を可能にするための複数の側壁開口部を有することもできる。本発明の例示的実施形態によると、空気マニホールド１２４は、複数の熱伝導性表面特徴を含む。例えば、空気マニホールド１２４は、本開示に基づいて当業者によって容易に理解されるであろうようなフィン、輪郭、指状突起、またはそれらの組み合わせのうちの１つ以上のものを含み、それらは、平滑な線形表面に対して空気マニホールド１２４の熱伝導性表面積を増加させる。
【００４２】
空気マニホールド１２４は、それが空気を送給するファンの幅を上回る長さを有するように、細長い。
【００４３】
本発明の例示的実施形態によると、空気マニホールド１２４は、空気マニホールド１２４をコンテナ１０２の内側に配置される１つ以上の熱エネルギー貯蔵構成要素と係合させるための取り付け手段を含む。例えば、空気マニホールド１２４は、空気マニホールド１２４への熱エネルギー貯蔵構成要素１２１の取り付けのための（および／またはコンテナ１０２への取り付けのための）空気マニホールド１２４の外面に沿って配置された支柱、スロット、リブ、もしくはカップの形態の取り付け手段を含むことができる。熱エネルギー貯蔵構成要素１２１は、空気流の温度を変化させることが可能な任意の温度修正物質を含むことができる。熱エネルギー貯蔵構成要素１２１の例は、酸化鉄結晶のハンドウォーマパウチ、角氷、凍結可能もしくは加熱可能なブロック、化学的に活性化されるゲルパック、再充電可能バッテリパック、または凍結可能なゲルパウチを含むが、それらに限定されない。加えて、空気マニホールド１２４は、蓋１１０がコンテナ１０２と結合されると、細長い空気マニホールド１２４が温度修正物質を脇へ押しやるように、コンテナ１０２が温度修正物質（例えば、角氷、砕かれた氷、削られた氷等）で充填されているとき、テーパ状構成がアイスデフレクタであるような方法で、第２の端部における取り入れ開口部１２３に近接したテーパ状構成のより狭い端部を伴うテーパ状端部構成を有することができる。特に、空気マニホールド１２４は、蓋１１０および空気マニホールド１２４がコンテナ１０２の内部容積１０５内に含まれる内容物（例えば、氷等の温度修正物質）によってくさび留めまたは係止されることを防止するように、サイズを決定され、成形され、および先細にされる。より具体的には、テーパ状の形状は、これらの内容物の間に埋め込まれることなく、コンテナ１０２内の任意の内容物（例えば、角氷）を変位させることによって、（空気マニホールド１２４がそれに取り付けられた）蓋１１０が強制的に除去されることを可能にする。加えて、空気マニホールド１２４の形状は、本発明の範囲から逸脱することなく変動し得る。例えば、空気マニホールド１２４は、円形、正方形、三角形、五角形、螺旋形、六角形、八角形、または波形であり得る。
【００４４】
少なくとも１つの空気取り入れポート１１６、ファン１２０、空気入口１２２、空気マニホールド１２４、および帰還ポート１１８の組み合わせは、デバイス１００が、外部環境１１１から周囲空気を引き込み、帰還ポート１１８を通して排出される前に、コンテナ１０２の内部容積１０５を通して空気を循環させることを可能にする。温度修正物質および／または熱発生コンテナもしくは材料の追加は、帰還空気（帰還ポート１１８を通した排出）が、引き込まれる周囲空気と異なる温度を有するであろうように、コンテナ１０２の内部容積１０５の中にある間に、少なくとも１つの空気取り入れポート１１６を通して引き込む周囲空気が修正されるようにするであろう。当業者によって理解されるであろうように、温度は、内部容積１０５の温度およびコンテナ内の温度修正物質および／または熱エネルギー貯蔵構成要素１２１に基づいて、変動するであろう。例えば、材料は、外部環境１１１内の元の周囲空気温度から少なくとも華氏２度の空気流温度差を生成し、排出することができる。同様に、空気流温度変化は、蓋１１０の帰還ポート１１８へのユーザの近接性に応じて、変動するであろう。例えば、ユーザが帰還ポート１１８開口部から２インチまたは５ｃｍ〜６インチまたは１５ｃｍ以内にいる場合、ユーザは、華氏約２度の周囲環境と空気帰還との間の温度差を被り得る。
【００４５】
図２Ａ−２Ｅは、蓋１１０および空気マニホールド１２４のより詳細な図を描写する。特に、図２Ａは、空気マニホールドがそれに取り付けられた蓋１１０の側面図であり、図２Ｂ−２Ｃは、側面断面図である。図２Ｄおよび２Ｅは、蓋１１０の切断斜視図を描写する。
【００４６】
図１に関して議論され、図２Ａ−２Ｅに描写されるように、蓋１１０は、コンテナ１０２の開口部１０６への除去可能な取り付けのために設計される。当業者によって理解されるであろうように、蓋１１０は、蓋１１０をコンテナ１０２に除去可能に取り付けるための機械的結合手段の任意の組み合わせを含むことができる。例えば、蓋１１０は、ねじ山付き結合部１２６、摩擦もしくは締まり嵌めのうちの１つ、ラッチ機構、または磁気結合部等の機械的結合手段を含むことができる。本発明の例示的実施形態によると、蓋１１０は、蓋１１０の周りに配置され、蓋１１０がコンテナ１０２上の密閉位置にあるとき、コンテナ１０２開口部１０６と係合するように構成されるガスケットシール１２８も含む。ガスケットシール１２８は、エラストマガスケットシール、ゴムリブ状ガスケット、Ｏリング、または当技術分野で公知である任意の他のガスケットシールを含むことができる。蓋１１０とコンテナ１０２との間に気密シールを作成することに加えて、ガスケットシール１２８は、コンテナ１０２の開口部１０６と蓋１１０との間に振動抑制、雑音低減、および熱保存も提供する。特に、ガスケットシール１２８は、蓋１１０の全周囲に沿って配置される振動吸収周囲を提供し、コンテナ１０２の１つ以上の壁の内部側と摩擦嵌めを形成し、蓋１１０が開口部１０６の中に挿入されるとき、コンテナ１０２の開口部１０６を密閉するようにサイズを決定および寸法を決定される。
【００４７】
蓋１１０は、外部環境１１１からコンテナ１０２の内部容積１０５の中へ、およびそれを通した空気流を制御し、帰還ポート１１８を通して空気を外へ排出するための構成要素を収納するように構成される。図２Ａは、蓋１１０筐体の外部構成要素を描写する。蓋１１０筐体の外部構成要素は、少なくとも１つの空気取り入れポート１１６と、帰還ポート１１８と、ファン１２０の動作のための電源ボタン１３０と、ハンドル１３２とを含む。加えて、蓋１１０は、除去可能に、または固定して、空気入口１２２および空気マニホールド１２４に取り付けられる。さらに、蓋１１０は、電力をファンモータ１４２に供給するための内部バッテリコンパートメントまたは外部に接続されたバッテリコンパートメントを含むことができる。それは、再充電可能バッテリコードプラグもしくは直流電源コードプラグコンセント、バッテリインジケータ、またはファン速度インジケータを含むこともできる。バッテリコンパートメントは、耐候性であり、床の上に落とされた場合等のデバイス衝撃中でさえもバッテリを含むためのクリップ、ねじ、または他の機械的留め具を伴うヒンジを含むことができる。
【００４８】
図１に関して議論されるように、少なくとも１つの空気取り入れポート１１６は、外部環境１１１からの周囲空気が（例えば、ファン１２０を介して）デバイス１００の中へ引き込まれる場所である。本発明の例示的実施形態によると、少なくとも１つの空気取り入れポート１１６は、少なくとも１つの空気取り入れポートへのアクセスを閉鎖または開放するように位置付けられ、構成される１つ以上の内部に搭載された、もしくは外部に位置する可動ドア（描写せず）を含む。１つ以上の可動ドアは、ファン１２０がアクティブにされていないとき、ドアが閉鎖され得、それによって、コンテナ１０２内で熱エネルギーを保存するような方法で、少なくとも１つの空気取り入れポート１１６を遮断するように閉鎖されるか、または、少なくとも１つの空気取り入れポート１１６へのアクセスを提供するように開放されることができる。当業者によって理解されるであろうように、１つ以上の可動ドアは、空気流を手動で制御するように部分的に開放／閉鎖されることもできる。
【００４９】
本発明の例示的実施形態によると、蓋１１０は、組み立てられたファン蓋１１０の周囲および下の空の空間を充填するための１つ以上の断熱温度保存および遮音発泡挿入物を含むことができる。１つ以上の断熱発泡挿入物（描写せず）は、少なくとも１つの空気取り入れポート１１６のための１つ以上の可動ドアの代わりに、もしくはそれに加えて、利用されることができる。１つ以上の断熱発泡挿入物は、少なくとも１つの空気取り入れポート１１６（例えば、少なくとも１つの空気取り入れポート１１６を作成する１つ以上の通気口）を部分的に遮断し、コンテナ１０２の内側温度を保存しながらデバイス１００が効率的に動作するために必要とされる空気流の量を静的に制御することができる。少なくとも１つの空気取り入れポート１１６の一部を部分的に覆うことによって、断熱発泡挿入物は、コンテナ１０２の内部容積１０５の温度に不注意に影響を及ぼす周囲温度空気の量を低減させる。
【００５０】
図２Ａを続けると、蓋１１０は、空気入口１２２および空気マニホールド１２４を含むか、または別様にそれらに取り付けられる。空気入口１２２および空気マニホールド１２４は、ファン蓋１１０筐体開口部への容易な取り付けのために恒久的に固定されるか、または摩擦でペアにされるか、圧縮嵌めエラストマガスケットを用いて蓋１１０に密閉可能に固定および篏合されることができる。図１に関して議論されるように、空気入口１２２および空気マニホールド１２４は、コンテナの内部容積１０５を通して（例えば、少なくとも１つの空気取り入れポート１１６から）空気流を循環させるための中心に含まれる空気流チャネルを提供するように構成される。
【００５１】
本発明の代替的な例示的実施形態によると、空気マニホールド１２４は、マルチチャネル方向性空気流マネージャ１６０と置換されることができる。図３Ａ−３Ｂは、コンテナの内部容積１０５内の据え付け／設置のためのマルチチャネル方向性空気流マネージャ１６０の例示的実施形態を描写する。特に、図３Ａは、コンテナ１０２内に実装さていないマルチチャネル方向性空気流マネージャ１６０の図を描写し、図３Ｂは、コンテナ内に据え付けされたマルチチャネル方向性空気流マネージャ１６０の上面図を描写し、図３Ｃは、コンテナ内に据え付けされたマルチチャネル方向性空気流マネージャ１６０の側面斜視図を描写する。
【００５２】
本発明の例示的実施形態によると、マルチチャネル方向性空気流マネージャ１６０は、複数のフィン１６８と、中心空気チャネル１６２とを含み、中心空気チャネル１６２は、熱エネルギー貯蔵構成要素１２１を収納するように構成される複数の収納チャンバ１６６（フィン１６８によって作成される）によって包囲される。マルチチャネル方向性空気流マネージャ１６０は、複数の収納チャンバ１６６を、コンテナ１０２の基部１０８の近位の中心空気チャネル１６２と流体的に結合する複数の空気流チャネル１６４も含む。マルチチャネル方向性空気流マネージャ１６０は、ファン１２０が動作しているとき、供給空気が、少なくとも１つの空気取り入れポート１１６を通してコンテナ１０２の内部容積１０５の中へ入り、複数の空気流チャネル１６４（複数の収納チャンバ１６６に隣接し、（熱エネルギー貯蔵構成要素１２１を介して）複数の収納チャンバ１６６から複数の空気流チャネル１６４の中へ伝導性加熱または冷却エネルギーを受け取る）を通して、中心空気チャネル１６２を通り、帰還ポート１１８を通って修正空気流として出て行くような方法で、空気流を向かわせるように構成される。当業者によって理解されるであろうように、マルチチャネル方向性空気流マネージャ１６０は、コンテナ１０２の固定部分であり得るか、またはマルチチャネル方向性空気流マネージャ１６０は、任意の適合可能なコンテナ１０２の中に挿入される除去可能な要素であり得る。
【００５３】
複数の収納チャンバ１６６は、デバイス１００の外部環境１１１内の周囲空気温度を上回る温度を有する熱エネルギー貯蔵構成要素１２１および／または外部環境１１１内の周囲空気温度よりも低い温度を有する冷却要素を収納するように構成される。本発明の例示的実施形態によると、熱エネルギー貯蔵構成要素１２１は、コンテナ１０２内で中心空気チャネル１６２および／または複数の空気流チャネル１６４の周囲に適合するように作製されることができる。故に、蓋１１０が密閉位置である状態で、熱エネルギー貯蔵構成要素１２１がコンテナ１０２の内側の複数の収納チャンバ１６６の内側に設置されるとき、熱エネルギーは、伝導を介して収納チャンバ１６６から空気流チャネル１６４まで伝達し、複数の空気流チャネル１６４は、中心空気チャネル１６２を通して、蓋１１０と結合されるファン１２０に供給空気を向かわせる。当業者によって理解されるであろうように、熱エネルギー貯蔵構成要素１２１は、熱伝達を通して空気流を冷却または加熱する。
【００５４】
本発明の例示的実施形態によると、マルチチャネル方向性空気流マネージャ１６０自体が、熱エネルギー源（例えば、高温または低温発生要素）を含み、それを提供することができる。特に、マルチチャネル方向性空気流マネージャ１６０の構造および／または壁は、熱エネルギー貯蔵構成要素１２１を含むことができる。例えば、マルチチャネル方向性空気流マネージャ１６０は、中心空気チャネル１６２、複数の空気流チャネル１６４、および随意に、加熱または冷却要素を収納するように構成される複数の収納チャンバ１６６を形成するように成形される再凍結可能な氷パック等の熱パック（例えば、温熱バッテリ熱パック）から構築されることができる。当業者によって理解されるであろうように、熱エネルギー貯蔵構成要素１２１としてのマルチチャネル方向性空気流マネージャ１６０は、デバイス１００のための熱エネルギーの全てを提供することができるか、または複数の収納チャンバ１６６の中に収納される追加の熱エネルギー源と組み合わせて利用されることができる。
【００５５】
本発明の例示的実施形態によると、蓋１１０は、そこから延びているハンドル１３２を含む。ハンドル１３２は、図１および２Ａ−２Ｅに描写されるように、蓋１１０に結合される成形ハンドル１３１ａであり得るか、またはハンドル１３２は、蓋１１０に除去可能に取り付けられ、蓋１１０との結合点の周りに旋回するように構成されることができる。除去可能なハンドル１３２に対して、蓋１１０は、ハンドル１３２の端部が摩擦嵌めを形成し、自由に回転するように挿入され得る切り込みを含むことができる。このようにして、ユーザは、必要に応じて種々の長さのハンドルを取り付けることができる。実装にかかわらず、ハンドル１３２は、ユーザが使用中にデバイス１００を持ち運びすることおよび保持することを可能にするように構成される。ハンドル１３２は、ユーザがデバイス１００を平面上に水平に設置し、デバイス１００の意図的でない回転を防止することも可能にする。加えて、ハンドル１３２は、表示のための所望の視認角度において携帯電話もしくはタブレットデバイスを支持し、偶発的なオン／オフスイッチアクティブ化を防止し、および／または外部電源に接続されているときの偶発的な電源コード除去を阻止するようにサイズを決定され、成形され、およい向けられる。
【００５６】
図２Ａを続けると、ファン１２０の電力状態は、スイッチ／ボタン１３０によって制御される。本発明の例示的実施形態によると、ファン１２０は、可変速度ファンであり、ボタン１３０は、可変速度ファン制御である。加えて、ボタン１３０は、オン／オフ位置を含む可変ファン速度グラフィックを含むことができる（例えば、低がオフになった後、低から高がオンである）。当業者によって理解されるであろうように、ボタンの任意の組み合わせが、本発明の範囲から逸脱することなく、ボタン１３０に利用されることができる。例えば、ボタンは、デジタルスイッチ、アナログスイッチ、触覚フィードバックスイッチ、またはそれらの組み合わせであり得る。
【００５７】
図２Ｂは、断面斜視図を通して蓋１１０の内部構成要素のうちのいくつかを描写する。特に、図２Ａに関して議論される構成要素に加えて、図２Ｂは、モータ筐体１３６、ファン筐体１３８、およびバッテリドアカバー１４０を描写する。本発明の例示的実施形態によると、モータ筐体１３６、ファン筐体１３８、およびバッテリドアカバー１４０は、周囲温度空気水分凝結および修正温度空気水分凝結が閉鎖コンパートメント内に位置する接続された電気構成要素と接触することを防止するように構成されるそのようなコンパートメント網を形成する。例えば、閉鎖コンパートメントの網は、１つ以上の電気的に接続されたスイッチ、プリント回路基板（ＰＣＢ）、発光ダイオード（ＬＥＤ）、およびバッテリを含み、それらを保護する。当業者によって理解されるであろうように、モータ筐体１３６およびファン筐体１３８は、当技術分野で公知である任意の材料から構築されることができ、モータ１４２、電気構成要素、およびファン１２０構成要素を安全に収納するように設計される。加えて、保護は、技術分野で公知である方法およびシステムの任意の組み合わせを通して提供されることができる。例えば、周囲温度空気、水分凝結等からの保護は、シール、コンテナ、および断熱材料の組み合わせによって、提供されることができる。ファン筐体１３８は、外部環境１１１からの空気がファン筐体１３８および空気入口１２２の中へ引き込まれることを可能にするための少なくとも１つの空気取り入れポート１１６に隣接する開口部を含む。本発明の例示的実施形態によると、ファン筐体１３８は、空気の流動を制御し、大きな残渣がファン筐体１３８の中へ引き込まれることを防止するための１つ以上のフィンを開口部の中に含む。ファン筐体１３８はまた、ヒンジ連結されたバッテリドアカバー１４０と、係止または閉鎖位置へ係止するスナップラッチとを含む。
【００５８】
図２Ｂを参照すると、バッテリドアカバー１４０は、収納するためのバッテリ収納コンパートメント１４４を保護するカバーであり、図２Ｃに関してさらに詳細に議論される電源からモータ１４２への電力伝達を促進する。バッテリドアカバー１４０は、バッテリ収納コンパートメント１４４およびその内容物（例えば、バッテリ）へのアクセスを提供し、それらを保護するように構成される。アクセス目的のために、バッテリドアカバー１４０は、当技術分野で公知である機械的ドアカバーの任意の組み合わせを含むことができる。例えば、バッテリドアカバー１４０は、ヒンジ連結されたドア、除去可能なバッテリカバー（例えば、ねじもしくは他の係止機構によって固定される）、または当技術分野で公知である他のドアカバーであり得る。（例えば、ねじまたは他の係止機構を介して）閉鎖および固定されたとき、バッテリドアカバー１４０は、バッテリ収納コンパートメント１４４のための耐候性、防水、防塵シールを提供する。本発明の例示的実施形態によると、バッテリドアカバー１４０は、バッテリドアカバー１４０を開放する必要なく、バッテリ収納コンパートメント１４４内の電源に／から電力を伝達するように、プラグのない無線再充電可能バッテリ充電または他の電力伝達機構のための磁気電源コード取り付けのために装備される。加えて、バッテリドアカバー１４０は、蓋１１０のハンドル１３２およびバッテリカバー保持タブの上で視認するために携帯電話またはタブレット画面を上に向けて設置するための隆起もしくは突出保持タブを有することができる。蓋ハンドル１３２は、所望の視認角度において携帯電話画面またはタブレット画面に係合し、バッテリカバータブによって定位置で保持される。
【００５９】
図２Ｃは、断面斜視図を通して蓋１１０の内部構成要素のうちのいくつか（例えば、モータ筐体およびファン筐体１３８内の構成要素）を描写する。特に、図２Ａおよび２Ｂに関して議論される構成要素に加えて、図２Ｃは、バッテリドアカバー１４０を介してアクセス可能であるファンモータ１４２、ファン１２０、およびバッテリ収納コンパートメント１４４を描写する。ファンモータ１４２は、ファン１２０の回転を制御し、バッテリ収納コンパートメント１４４内に位置する電源によって給電される。電源は、固定して取り付けられた貯蔵（例えば、電池、固定された再充電可能バッテリ等）および／または交換可能な電源（例えば、バッテリ、再充電可能バッテリ等）の任意の組み合わせを含むことができる。当業者によって理解されるであろうように、デバイス１００は、使い捨てまたは再充電可能バッテリ（例えば、ＡＡ、ＡＡＡ、Ｄ等）、リチウムバッテリ、交流（ＡＣ）マイクロユニバーサルシリアルバス（ＵＳＢ）電源ケーブル、太陽光エネルギー源等の任意の組み合わせによって給電されることができる。加えて、電源は、再充電され、および／または（例えば、無線充電、ＵＳＢ、マイクロＵＳＢ、マルチピンドックコネクタ、ならびに照明電源コネクタ等を介した）充電器への無線もしくは有線接続を通して、エネルギーを他のデバイス（例えば、スマートフォン）に提供することができる。バッテリ収納コンパートメント１４４は、電源を収納し、電源をモータ１４２に電子的に接続する。加えて、ボタン１３０は、電源およびモータ１４２の両方に接続され、モータ１４２に出力される電力を制御する。
【００６０】
図２Ｄおよび２Ｅは、蓋１１０およびその中に含まれる構成要素の断面図を描写する。特に、図２Ｄおよび２Ｅは、図２Ａ−２Ｃに関して議論される構成要素の代替的な図を描写する。４分の３斜視図は、モータ１４２、ファン１２０、ファン筐体１３８、空気入口１２２、空気マニホールド１２４、および他の構成要素が互いに関連する様子を示す。加えて、図２Ｅは、ファン１２０の複数の曲線状のファンの羽根の設計を描写する。加えて、蓋１１０およびその中に含まれる構成要素は、構成要素の内部機械的および電気的動作を保護するように耐候性である。
【００６１】
本発明の例示的実施形態によると、蓋１１０は、筐体１３６、１３８、１４４内に収納され、電源およびボタン１３０によって給電／制御される他の電子構成要素を含むことができる。電子構成要素は、デバイス１００の電力ステータスをユーザに示す（もしくは他のアラート／通知を提示する）ように蓋１１０内に（例えば、蓋１１０の頂面の上に）組み込まれるプリント回路基板または発光ダイオード（ＬＥＤ）等を含むことができる。当業者によって理解されるであろうように、ＬＥＤインジケータは、蓋１１０の任意の内部または外部表面から視認可能であり得、蓋１１０の頂面に限定されない。例では、蓋１１０の内部上にＬＥＤがある場合、光は、空気帰還ポート１１８（または延長送達管１５０）を通して提供されることができる。同様に、ＬＥＤは、コンテナ１０２の内部容積１０５を視認するための光を提供する、または常夜灯として使用されることができる。ＬＥＤは、限定されないが、オン／オフステータス、バッテリレベル、ファン速度等を含む他のフィードバックをユーザに提供することができる。加えて、例示的実施形態によると、蓋１１０は、ＬＥＤに接続される内部温度センサを含むことができる。内部温度センサは、コンテナの内部容積１０５内の内部空気温度を読み取り、測定値温度に基づいてＬＥＤを更新するように構成されることができる。例えば、より冷たい温度に対して、白、緑、青、より暖かい温度に対して、黄、赤、橙のＬＥＤ色を示す。
【００６２】
電子構成要素はまた、無線周波数（ＲＦ）、Ｗｉ−Ｆｉ、セルラー、Ｂｌｕｅｔｏｏｔｈ（登録商標）、Ｂｌｕｅｔｏｏｔｈ（登録商標）  Ｌｏｗ  Ｅｎｅｒｇｙ、パーソナルエリアネットワーク（ＰＡＮ）、短波長ＵＨＦ、またはそれらの組み合わせのうちの１つ以上のものを使用して無線で通信するように構成された無線通信構成要素を含むこともできる。無線通信構成要素は、ファン１２０が無線通信構成要素を介して制御機構と無線通信する別個のデバイス（例えば、スマートフォン）によって制御可能であるような方法で、ファン１２０動作を制御している制御機構と結合されることができる。電子構成要素は、ファン１２０の動作を制御する制御機構のためのコマンドに変換される音声コマンドを受信するように構成されたマイクロホン、をさらに含むことができる。当業者によって理解されるであろうように、蓋１１０は、電気的に制御される携帯用デバイスにおいて見出される電子構成要素の任意の組み合わせを含むことができる。
【００６３】
本発明の例示的実施形態によると、デバイスは、いくつかの異なる付属および随意の特徴（描写せず）と適合性があるように構成される。いくつかの随意の付属品および特徴は、コンテナ１０２の周囲に適合するようにサイズを決定され、寸法を決定され、かつ構成された除去可能な断熱ジャケットカバー、温度センサ、ならびに空気温度を感知するためにデバイス１００上に配置される対応する温度表示、水霧を帰還ポート１１８に供給するための超音波電子水霧発生器、芳香を帰還ポート１１８に供給するための芳香拡散器、帰還ポート１１８を通して外へ空気流薬剤を供給するための液体薬剤拡散器、水源と結合される水霧発生器、洗浄可能かつ再利用可能な空気フィルタ、および帰還ポート１１８と、取り付け可能送達管１５０に、またはそれらの両方に結合された空気フィルタを含むが、それらに限定されない。当業者によって理解されるであろうように、フィルタは、使い捨て空気フィルタ、炭素ベースのフィルタ、ＨＥＰＡ空気フィルタ等の任意の組み合わせを含むことができる。
【００６４】
本発明の例示的実施形態によると、蓋１１０は、延長可能な多重位置可撓送達管１５０と結合するように構成される。図４は、管１５０がそれに取り付けられた蓋１１０の例示的実装を描写する。特に、図４は、それによって、ユーザが管１５０を据え付け、デバイス１００から離れるように遠隔に空気流を向かわせるために空気帰還ポート１１８において摩擦継手を介して蓋１１０に取り付けられた管１５０を描写する。当業者によって理解されるであろうように、管１５０は、当技術分野で公知である任意の機構を利用して、空気帰還ポート１１８に付着されることができる。管１５０は、ユーザが所望に応じて空気流を向かわせることを可能にするように、複数の異なる方向に位置付け可能である。本発明の一例証的実施形態によると、位置付け可能な機能性は、例えば、波形であり得るゴムまたはプラスチック材料の管を構築することによって等、管１５０を可撓にすることによって達成される。動作時、管１５０は、デバイス１００の利益をユーザに提供しながらデバイス１００の遠隔設置を可能にする。
【００６５】
加えて、管１５０は、所望の場所で管１５０を除去可能に取り付け、そこから放出される吹き出し空気を方向的に制御するように構成される搭載クリップ（示されていないが、当業者によって容易に理解される）をさらに含むことができる。空気帰還ポート１１８および／または延長可能かつ位置付け可能な管１５０の組み合わせは、デバイス１００が蓋１１０ならびにコンテナ１０２アセンブリから離れた遠位場所において温度修正空気流を送達することを可能にし、ユーザのためにより静かでより便利な温度修正体験をもたらす。例えば、コンテナ１０２は、定位置に蓋１１０を伴って、ベビーカーのカップホルダの中に設置されることができ、デバイス１００がアクティブにされると、デバイス１００から外への修正温度空気流は、延長可能な管１５０を介してベビーカーに着席した近くの子供に送達され、向かわせられることができる。当業者によって理解されるであろうように、管１５０は、本発明の機能性から逸脱することなく、長さおよび直径の任意の組み合わせで提供されることができる。例えば、管１５０は、約６インチから２８インチまで１／４インチ増分で延びているように構成されることができる。同様に、管１５０は、設計において融通が利き、その形状を保持するように構成されることができる。例えば、ユーザは、空気流への影響を伴わずに、９０度の角の周りに管１５０を延長することができる。遠隔空気流送達の利益は、雑音および振動を低減させるとともに、意図された保護者から電動式デバイスを覆い隠すことである。
【００６６】
本発明の例示的実施形態によると、蓋１１０は、別の収納または運搬デバイスへの取り付けのために構成される固定キャリーリング要素（描写せず）を含む。例えば、蓋１１０は、デバイス１００の手を使わない運搬を可能にするためのバックパックまたは他のタイプのバッグへの取り付けのためのカラビナを含むことができる。当業者によって理解されるであろうように、キャリーリング要素は、そのような取り付けを可能にする蓋１１０の外面上のいずれの場所にも位置付けられることができる。
【００６７】
本発明の例示的実施形態によると、全体的な組み立てられたデバイス１００は、自動車、ベビーカー、ショッピングカート、等において見出されるであろうように、デバイス１００が携帯用であり、除去可能かつ交換可能に従来のカップホルダの中に搭載するような様式で、サイズを決定され、寸法を決定され、かつ構成されている。当業者によって理解されるであろうように、デバイス１００は、（必ずしも従来のカップホルダ内に収まることに関するわけではないが）加熱および冷却動作の観点から、本発明の機能性から逸脱することなく、当技術分野で公知である任意の寸法でサイズを決定、成形、および構成されることができる。同様に、蓋１１０は、種々の既存の市販コンテナに普遍的に適合するようにサイズを決定、成形、および構成されることができる。加えて、バッテリドアカバー１４０、ボタン１３０および任意の他のスイッチ、ハンドル１３２を含む蓋１１０の外部側は、極端な周囲温度または日光の中で使用するために、ファン１２０による熱吸収を低減させるための低熱吸収材料、仕上げ、もしくは色で構築される。
【００６８】
デバイス１００は、当技術分野で公知である製造方法の任意の組み合わせを利用して、構築されることができ、一緒に結合される任意の数の部品または単一の成形／印刷されたデバイスを含むことができる。加えて、デバイス１００の構成要素の各々は、当技術分野で公知である材料の任意の組み合わせから構築されることができる。好ましくは、デバイス１００は、軽量携帯用デバイス１００を提供するように、軽量構成要素から構築される。例えば、理想的に、全体的なデバイス１００は、１０ポンド未満、好ましくは、５ポンド未満、より好ましくは、２ポンド未満の重量である。
【００６９】
動作時、蓋１１０がコンテナ１０２上の密閉位置にあるとき、電動式遠心ファン１２０は、動作しており、１つ以上の熱エネルギー貯蔵構成要素は、コンテナ１０２の内部容積１０５の中に配置され、次いで、周囲空気が、少なくとも１つの空気取り入れポート１１６を通して、コンテナ１０２の内部容積１０５の中へ、１つ以上の熱エネルギー貯蔵構成要素を横断し、細長い空気マニホールド１２４の第２の端部における取り入れ開口部（例えば、空気入口１２２）を通して、細長い空気マニホールド１２４を通して引き込まれ、周囲空気は、１つ以上の熱エネルギー貯蔵構成要素および細長い空気マニホールド１２４との対流を介して、熱的に修正された空気に変換され、熱的に修正された空気は、次いで、少なくとも１つの空気取り入れポート１１６を通して引き込まれる周囲空気と異なる温度を有する帰還空気として、（例えば、ファン筐体１３８内の）空気漏斗１２７開口部を通して、空気入口１２２の中へ、帰還ポート１１８を通して外へ進み続ける。
【００７０】
要するに、アクティブにされたとき、本発明のデバイス１００は、外部環境１１１内の周囲空気温度に対するコンテナ１０２の内部容積１０５内の内容物の温度に基づいて、冷却空気流または加熱空気流のいずれかを提供する。特に、内部容積１０５の内容物（例えば、氷、熱パック等）の組み合わせ、空気マニホールド、およびファン１２０を含む蓋１１０アセンブリは、コンテナ１０２の内容物を用いて周囲温度空気取り入れを加熱または冷却し、熱エネルギーを空気マニホールド１２４の空気流の中へ伝達することによって、加熱または冷却効果を生成する。より具体的には、熱エネルギーの伝達は、空気が少なくとも１つの空気取り入れポート１１６から遠隔に進入し、下向きに、またはファン１２０が発生させた真空によって引き起こされる流路の方向に伝達し、その空気流は、コンテナ内の空気マニホールド１２４に沿って通過する。結果として生じる修正空気流は、次いで、帰還ポート１１８を通してユーザに向かって排出される。
【００７１】
図５は、本発明の動作を描写する例示的フローチャートを示す。具体的には、図５は、デバイス１００の動作を実施し、冷房または暖房をユーザに提供するためのプロセス６００を示す例示的フローチャートを描写する。ステップ６０２では、ユーザは、加熱または冷却要素（例えば、熱エネルギー貯蔵構成要素１２１）をコンテナ１０２内の（空気マニホールド１２４に取り付けられる）内部容積１０５の中に挿入する。ステップ６０２では、ユーザは、蓋１１０をコンテナ１０２の開口部１０６の中に挿入する。蓋１１０は、振動吸収周囲ガスケットシール１２８によって、コンテナ１０２の開口部１０６内に密閉される。ステップ６０６では、ユーザは、修正空気流が所望される方向に、帰還ポート１１８および／または管１５０の位置付けを向ける。ステップ６０６はまた、随意の管１５０を蓋１１０の帰還ポート１１８に取り付けることを含むこともできる。
【００７２】
ステップ６０８では、ユーザは、デバイス１００をアクティブにし、デバイス１００は、周囲温度空気取り入れから修正空気流出力を生成する（例えば、可変速度ファン制御１３０をオンにする）。本発明の例示的実施形態によると、動作中、ユーザは、可変速度ファン制御１３０を調節することによって、ファン速度を修正することができる。ファン速度の重要性は、デバイス１００が熱エネルギー源を提供する異なる材料（例えば、氷、氷パック、冷水、酸化鉄、ゲルパック、バッテリ発電機熱パック）とともに使用されるとき、ファン速度がコンテナ１０２から外へ最も有益な温度差を提供するように調整され得ることである。例えば、より高いファン速度は、周囲空気を、より迅速にデバイス１００を通過させ、したがって、熱エネルギーを吸収するためのより少ない機会を有し得る（それが帰還ポート１１８を通して退出するとき、加熱しようとする場合は、より冷たい暖気流、または冷却しようとする場合は、より暖かい冷気流をもたらす）。同様に、より低いファン速度が、小さい子供および／またはペットに使用されるとき、周囲空気温度修正のためにより望ましくあり得る。より低いファン速度は、より少ない振動およびより少ない付随雑音発生を引き起こし得る。
【００７３】
ステップ６０８を続けると、デバイス１００の動作は、少なくとも１つの空気取り入れポート１１６を通した周囲温度空気の取り入れを含む。空気入口１２２を介して、空気マニホールド１２４を通して空気の流動を押し進める。周囲温度空気が空気マニホールド１２４を通して押し進められている間、周囲温度空気は、あるタイプのファン筐体１３８の中に引き込まれ、帰還ポート１１８を通して（随意に、帰還ポート１１８と結合される管１５０を通して）局所的エリアユーザに向かって引き出されることに先立って、空気マニホールド１２４に隣接する複数の温度修正表面にさらされ、それによって、温度修正空気をユーザに供給する。
【００７４】
本明細書で利用されるように、用語「ｃｏｍｐｒｉｓｅ」および「ｃｏｍｐｒｉｓｉｎｇ」（〜を備えている）は、排他的ではなくて包括的であるものとして解釈されることを意図している。本明細書で利用されるように、用語「例示的」、「例」、および「例証的」は、「例、事例、または例証としての役割を果たす」を意味することを意図しており、他の構成に対して好ましいもしくは有利な構成を示す、または示さないものとして解釈されるべきではない。本明細書で利用されるように、用語「約」、「概して」、および「およそ」は、性質、パラメータ、サイズ、ならびに寸法の変動等の主観的または客観的値の範囲の上限および下限に存在し得る、変動を網羅することを意図している。一非限定的例では、用語「約」、「概して」、および「およそ」は、１０パーセントまたは＋１０パーセントもしくはそれ未満、または−１０パーセントもしくはそれ未満を意味する。一非限定的例では、用語「約」、「概して」、および「およそ」は、当業者によって含まれると見なされるために十分に近いことを意味する。本明細書で利用されるように、用語「略」は、当業者によって理解されるであろうように、作用、特性、性質、状態、構造、項目、または結果の完全もしくはほぼ完全な範囲または程度を指す。例えば、「略」円形であるオブジェクトは、オブジェクトが、当業者によって認識または理解されるであろうように、数学的に判定可能な限界まで完全に円、もしくはほぼ円のいずれかであることを意味するであろう。絶対的完全性からの逸脱の正確な許容程度は、ある事例では、具体的状況に依存し得る。しかしながら、一般に、完成の近接性は、絶対的かつ全体的な完成が達成または取得された場合と同一の全体的結果を有するようなものであろう。「略」の使用は、当業者によって理解されるであろうように、作用、特性、性質、状態、構造、項目、または結果の完全またはほぼ完全な欠如を指すために否定的な意味合いで利用されるとき、等しく適用可能である。
【００７５】
本発明の多数の修正および代替実施形態が、前述の説明に照らして、当業者に明白となるであろう。故に、本説明は、例証的にすぎないものとして解釈され、当業者に本発明を実施するための最良形態を教示する目的のためのものである。構造の詳細は、本発明の精神から逸脱することなく、実質的に変動し得、添付の請求項の範囲内にある全ての修正の排他的使用が、留保される。本明細書内では、実施形態は、明確かつ簡潔な明細書が書かれることを可能にするように説明されているが、実施形態は、本発明から逸脱することなく、多様に組み合わせられる、または分離され得ることが意図され、そのように理解されたい。本発明は、添付の請求項および適用法の規則によって要求される範囲にのみ限定されることが意図される。
【００７６】
また、以下の請求項は、本明細書に説明される本発明の全ての一般的および具体的特徴、ならびに文言上、その中にあると言え得る本発明の範囲の全ての記載を対象とすることも理解されたい。
【図１】
2019532245.tif 000003
【図２Ａ】
2019532245.tif 000004
【図２Ｂ】
2019532245.tif 000005
【図２Ｃ】
2019532245.tif 000006
【図２Ｄ】
2019532245.tif 000007
【図２Ｅ】
2019532245.tif 000008
【図３】
2019532245.tif 000009
【図４】
2019532245.tif 000010
【図５】
2019532245.tif 000011
【手続補正書】
【提出日】令和1年5月21日(2019.5.21)
【手続補正１】
【補正対象書類名】特許請求の範囲
【補正対象項目名】全文
【補正方法】変更
【補正の内容】
【特許請求の範囲】
【請求項１】
個人用周囲空気温度修正デバイスであって、前記個人用周囲空気温度修正デバイスは、
手持ち式であるように適合されたコンテナであって、前記コンテナは、
内部容積を画定する１つ以上の断熱された壁であって、前記１つ以上の断熱された壁の各々は、前記内部容積に面する内部側と、前記内部側の反対側の外部側とを有する、１つ以上の断熱された壁と、
前記コンテナの第１の端部を通して配置された開口部と、
前記第１の端部の反対側の前記コンテナの第２の端部に配置された基部であって、前記基部は、前記内部容積に面する内部側と、前記内部側の反対側の外部側とを有する、基部と
を備え、
前記コンテナは、カップホルダの中に収まるようにサイズを決定され、寸法を決定され、かつ適合されている、コンテナと、
前記内部容積に面する内部側と、前記内部側の反対側の外部側とを有する蓋であって、前記蓋は、密閉位置にあるとき、前記開口部を遮断し、前記コンテナから除去されたとき、前記開口部をさらすように、前記開口部を除去可能かつ交換可能に覆い、前記蓋は、
帰還ポートと、
空気入口と、
前記蓋の内側に配置された電動式空気移動機構と
を備え、
前記電動式空気移動機構は、前記空気入口を通して空気を引き込み、前記帰還ポートを通して前記コンテナおよび前記蓋の外部の外部環境に帰還空気を排出する、蓋と、
前記コンテナの内部容積と流体連通する少なくとも１つの空気取り入れポートであって、前記少なくとも１つの空気取り入れポートは、前記デバイスの外部の周囲環境から前記コンテナの内部容積に流入するように供給空気を引き込むために位置付けられている、少なくとも１つの空気取り入れポートと、
前記コンテナの内部容積の中に配置された熱エネルギー濃縮器と
を備え、
前記熱エネルギー濃縮器は、第１の端部における空気漏斗開口部と、第２の端部における取り入れ開口部とを有する空気マニホールドを備え、前記空気漏斗開口部は、前記空気入口と流体的に結合され、前記取り入れ開口部は、前記コンテナの内部容積と流体的に結合され、
前記蓋が前記コンテナ上の前記密閉位置にあるとき、前記電動式空気移動機構は、動作しており、１つ以上の熱エネルギー貯蔵構成要素が、前記コンテナの内部容積の中に配置されており、周囲空気が、前記少なくとも１つの空気取り入れポートを通して前記コンテナの内部容積の中へ引き込まれ、前記１つ以上の熱エネルギー貯蔵構成要素を横断し、前記空気マニホールドの第２の端部における前記取り入れ開口部を通り、前記空気マニホールドを通り、前記周囲空気は、前記１つ以上の熱エネルギー貯蔵構成要素および前記空気マニホールドによる対流を介して、熱的に修正された空気に変換され、前記熱的に修正された空気は、前記少なくとも１つの空気取り入れポートを通して引き込まれる前記周囲空気と異なる温度を有する帰還空気として、前記空気漏斗開口部を通り、前記空気入口の中へ入り、前記帰還ポートを通り外へ出ることを続ける、
個人用周囲空気温度修正デバイス。
【請求項２】
前記少なくとも１つの空気取り入れポートを通して引き込まれる前記周囲空気と異なる温度を有する前記帰還空気は、少なくとも華氏２度の温度差を備えている、請求項１に記載の個人用周囲空気温度修正デバイス。
【請求項３】
前記コンテナは、二重壁構成の壁の間に配置された空隙を有する前記二重壁構成を有する、請求項１に記載の個人用周囲空気温度修正デバイス。
【請求項４】
前記コンテナは、前記二重壁構成の壁の間に配置された１つ以上の断熱材料を有する前記二重壁構成を有する、請求項１に記載の個人用周囲空気温度修正デバイス。
【請求項５】
前記コンテナの内部容積は、約１０オンス、約１５オンス、約２０オンス、約２４オンス、約３０オンス、約３６オンス、約４０オンス、約４５オンス、約５０オンス、約５５オンス、または約６０オンスのうちの１つである、請求項１に記載の個人用周囲空気温度修正デバイス。
【請求項６】
前記コンテナは、プラスチック、複合材料、金属、ゴム、エラストマ材料、非エラストマ材料、またはそれらの組み合わせのうちの１つ以上のものから製造される、請求項１に記載の個人用周囲空気温度修正デバイス。
【請求項７】
前記蓋の周りに配置されたガスケットシールをさらに備え、前記ガスケットシールは、前記蓋が前記コンテナ上の密閉位置にあるとき、前記コンテナ開口部と係合するように構成されている、請求項１に記載の個人用周囲空気温度修正デバイス。
【請求項８】
前記蓋の周りに配置されたエラストマガスケットシールをさらに備え、前記エラストマガスケットシールは、前記蓋が前記コンテナ上の密閉位置にあるとき、前記コンテナ開口部と係合するように構成され、前記エラストマガスケットシールは、前記コンテナ開口部と前記蓋との間の振動抑制、雑音低減、および熱保存を提供する、請求項１に記載の個人用周囲空気温度修正デバイス。
【請求項９】
前記蓋と前記コンテナとの間の機械的結合部をさらに備え、前記機械的結合部は、摩擦もしくは締まり嵌め、ラッチ機構、またはねじ山付き結合部のうちの１つから成る、請求項１に記載の個人用周囲空気温度修正デバイス。
【請求項１０】
前記内部容積に面する前記内部側に近接して前記蓋の中に配置された断熱挿入物をさらに備えている、請求項１に記載の個人用周囲空気温度修正デバイス。
【請求項１１】
前記断熱挿入物は、非毒性断熱プラスチック発泡挿入物、断熱複合材料、またはそれらの組み合わせを備えている、請求項１０に記載の個人用周囲空気温度修正デバイス。
【請求項１２】
前記断熱挿入物は、振動抑制、音抑制、または両方である、請求項１０に記載の個人用周囲空気温度修正デバイス。
【請求項１３】
前記断熱挿入物は、１つ以上の空気取り入れチャネルをさらに備え、前記１つ以上の空気取り入れチャネルは、前記蓋が前記コンテナ上の前記密閉位置であるとき、前記少なくとも１つの空気取り入れポートと前記コンテナの内部容積との間の流体連通を提供する、請求項１０に記載の個人用周囲空気温度修正デバイス。
【請求項１４】
前記断熱挿入物は、除去可能、洗浄可能、および再利用可能である、請求項１０に記載の個人用周囲空気温度修正デバイス。
【請求項１５】
前記電動式空気移動機構は、曲線状のファンの羽根、平坦なファンの羽根、またはそれらの組み合わせを有する遠心ファンを備えている、請求項１に記載の個人用周囲空気温度修正デバイス。
【請求項１６】
前記熱エネルギー濃縮器は、多孔質材料または非多孔質材料から成る、請求項１に記載の個人用周囲空気温度修正デバイス。
【請求項１７】
前記熱エネルギー濃縮器は、その長さの全体を通して複数の穿孔を備えている、請求項１に記載の個人用周囲空気温度修正デバイス。
【請求項１８】
前記空気マニホールドは、前記第１の端部における空気漏斗を前記第２の端部における前記取り入れ開口部と流体的に結合する１つの中心チャネルを有する、請求項１に記載の個人用周囲空気温度修正デバイス。
【請求項１９】
前記空気マニホールドは、前記第１の端部における空気漏斗を前記第２の端部における前記取り入れ開口部と流体的に結合する複数のチャネルを有する、請求項１に記載の個人用周囲空気温度修正デバイス。
【請求項２０】
前記空気マニホールドは、複数の側壁開口部を有する、請求項１に記載の個人用周囲空気温度修正デバイス。
【請求項２１】
前記空気マニホールドは、複数の熱伝導性表面特徴を有する、請求項１に記載の個人用周囲空気温度修正デバイス。
【請求項２２】
前記空気マニホールドは、フィン、輪郭、指状突起、またはそれらの組み合わせのうちの１つ以上のものを備えている複数の熱伝導性表面特徴を有し、前記熱伝導性表面特徴は、平滑な線形表面に対して前記空気マニホールドの熱伝導性表面積を増加させる、請求項１に記載の個人用周囲空気温度修正デバイス。
【請求項２３】
前記空気マニホールドは、テーパ状構成を有し、前記テーパ状構成のより狭い端部が、前記第２の端部における前記取り入れ開口部に近接しており、それによって、前記コンテナが角氷、砕かれた氷、および／または削られた氷で充填されている場合、前記テーパ状構成は、アイスデフレクタであり、前記蓋が前記コンテナと結合されると、前記空気マニホールドは、氷を脇へ押しやる、請求項１に記載の個人用周囲空気温度修正デバイス。
【請求項２４】
前記空気マニホールドは、前記空気マニホールドの外面に沿って配置された支柱、スロット、リブ、またはカップから成る群から選択される取り付け手段をさらに備え、前記取り付け手段は、前記コンテナの内側に配置された前記１つ以上の熱エネルギー貯蔵構成要素と係合する、請求項１に記載の個人用周囲空気温度修正デバイス。
【請求項２５】
前記帰還ポートと除去可能かつ交換可能に結合された帰還空気送達管をさらに備えている、請求項１に記載の個人用周囲空気温度修正デバイス。
【請求項２６】
前記熱エネルギー濃縮器は、前記蓋と除去可能かつ交換可能に結合されている、請求項１に記載の個人用周囲空気温度修正デバイス。
【請求項２７】
前記熱エネルギー濃縮器は、前記蓋と恒久的に結合されている、請求項１に記載の個人用周囲空気温度修正デバイス。
【請求項２８】
前記熱エネルギー濃縮器は、摩擦もしくは締まり嵌め、ラッチ機構、またはねじ山付き結合部を介して蓋と除去可能かつ交換可能に結合されている、請求項１に記載の個人用周囲空気温度修正デバイス。
【請求項２９】
前記熱エネルギー濃縮器は、前記コンテナの内部容積の中に配置された１つ以上の熱エネルギー貯蔵構成要素から熱エネルギーを受け取るように適合されている、請求項１に記載の個人用周囲空気温度修正デバイス。
【請求項３０】
前記熱エネルギー濃縮器は、前記コンテナの内部容積の中に配置された１つ以上の熱エネルギー貯蔵構成要素から熱エネルギーを受け取るように適合され、前記１つ以上の熱エネルギー貯蔵構成要素は、高温もしくは低温ゲルパック、熱を発生させるための酸化鉄パウチ、氷、またはそれらの組み合わせを備えている、請求項１に記載の個人用周囲空気温度修正デバイス。
【請求項３１】
前記熱エネルギー濃縮器は、折り畳まれた１つ以上の熱エネルギー貯蔵構成要素から熱エネルギーを受け取るように適合されている、請求項１に記載の個人用周囲空気温度修正デバイス。
【請求項３２】
バッテリ収納チャンバをさらに備えている、請求項１に記載の個人用周囲空気温度修正デバイス。
【請求項３３】
前記デバイスの中に配置された再充電可能バッテリ収納をさらに備えている、請求項１に記載の個人用周囲空気温度修正デバイス。
【請求項３４】
電動式空気移動機構動作を制御している制御機構と結合された無線通信構成要素をさらに備え、それによって、前記電動式空気移動機構は、前記無線通信構成要素を介して前記制御機構と無線通信する別個のデバイスによって制御可能である、請求項１に記載の個人用周囲空気温度修正デバイス。
【請求項３５】
無線周波数（ＲＦ）、Ｗｉ−Ｆｉ、セルラー、Ｂｌｕｅｔｏｏｔｈ（登録商標）、Ｂｌｕｅｔｏｏｔｈ（登録商標）  Ｌｏｗ  Ｅｎｅｒｇｙ、パーソナルエリアネットワーク（ＰＡＮ）、短波長ＵＨＦ、またはそれらの組み合わせのうちの１つ以上のものを使用して無線で通信するように構成された無線通信構成要素をさらに備えている、請求項１に記載の個人用周囲空気温度修正デバイス。
【請求項３６】
バッテリカバードアをさらに備え、前記バッテリカバードアは、バッテリ充電のための磁気電源コード取り付けのために装備された磁気電源コード受け取り器結合部を有する、請求項１に記載の個人用周囲空気温度修正デバイス。
【請求項３７】
前記蓋上の密閉および閉鎖位置にあるときに耐候性または防水のバッテリカバードアをさらに備えている、請求項１に記載の個人用周囲空気温度修正デバイス。
【請求項３８】
バッテリカバードアと、耐候性スイッチと、突出リブ要素と、ハンドルとを含む前記蓋の外部側は、極端な周囲温度または日光の中での前記蓋による熱吸収を低減させるための非熱吸収の材料、仕上げ、または色で構成されている、請求項１に記載の個人用周囲空気温度修正デバイス。
【請求項３９】
１つ以上の可動ドアをさらに備え、前記１つ以上の可動ドアは、前記１つ以上の可動ドアを閉鎖することによって前記コンテナの内側に収納された熱エネルギーを維持するために、前記少なくとも１つの空気取り入れポートへのアクセスを閉鎖または開放するように位置付けられ、構成されている、請求項１に記載の個人用周囲空気温度修正デバイス。
【請求項４０】
前記電動式空気移動機構の動作を制御する制御機構のためのコマンドに変換される音声コマンドを受信するように構成されたマイクロホン、をさらに備えている、請求項１に記載の個人用周囲空気温度修正デバイス。
【請求項４１】
前記個人用周囲空気温度修正デバイスは、１０ポンド未満、好ましくは、５ポンド未満、より好ましくは、２ポンド未満の重量である、請求項１に記載の個人用周囲空気温度修正デバイス。
【請求項４２】
前記電動式空気移動機構の前記動作を制御するための耐候性オン／オフスイッチをさらに備えている、請求項１に記載の個人用周囲空気温度修正デバイス。
【請求項４３】
１つ以上の耐候性オン／オフスイッチ、可変速度スイッチ、ＬＥＤインジケータを有する１つ以上の耐候性スイッチ、デジタル表示画面を有する１つ以上の耐候性スイッチ、前記電動式空気移動機構のオン／オフ動作を制御するように構成された１つ以上のタイマ、またはそれらの組み合わせをさらに備えている、請求項１に記載の個人用周囲空気温度修正デバイス。
【請求項４４】
ＵＳＢ、マイクロＵＳＢ、マルチピンドックコネクタ、および照明電源コネクタから成る群から選択される受電機ポートをさらに備えている、請求項１に記載の個人用周囲空気温度修正デバイス。
【請求項４５】
前記個人用周囲空気温度修正デバイスと結合された太陽光発電源をさらに備えている、請求項１に記載の個人用周囲空気温度修正デバイス。
【請求項４６】
表面上に設置されたときに前記デバイスが置かれている前記個人用周囲空気温度修正デバイスの底面上に配置された滑り止め振動吸収または振動抑制基部をさらに備えている、請求項１に記載の個人用周囲空気温度修正デバイス。
【請求項４７】
前記蓋から延びているキャリーハンドルをさらに備えている、請求項１に記載の個人用周囲空気温度修正デバイス。
【請求項４８】
前記蓋から延びているキャリーハンドルをさらに備え、前記キャリーハンドルは、回転することなく平面上への前記個人用周囲空気温度修正デバイスの水平設置を可能にするように構成されている、請求項１に記載の個人用周囲空気温度修正デバイス。
【請求項４９】
前記蓋から延びているキャリーハンドルをさらに備え、前記キャリーハンドルは、偶発的なオン／オフスイッチアクティブ化を阻止し、外部電源に接続されているときの偶発的な電源コード除去を阻止するように構成されている、請求項１に記載の個人用周囲空気温度修正デバイス。
【請求項５０】
前記蓋から延びているキャリーハンドルをさらに備え、前記キャリーハンドルおよびバッテリカバータブは、前記個人用周囲空気温度修正デバイスの動作中、前記タブおよび蓋の上で十分な視認角度において携帯電話またはモバイルタブレットデバイスを支持するようにサイズを決定され、寸法を決定され、構成され、かつ適合されている、請求項１に記載の個人用周囲空気温度修正デバイス。
【請求項５１】
常夜灯をさらに備えている、請求項１に記載の個人用周囲空気温度修正デバイス。
【請求項５２】
前記個人用周囲空気温度修正デバイスの周囲に適合するようにサイズを決定され、寸法を決定され、かつ構成された除去可能な断熱ジャケットカバーをさらに備えている、請求項１に記載の個人用周囲空気温度修正デバイス。
【請求項５３】
空気温度を感知するための前記個人用周囲空気温度修正デバイス上に配置された温度センサをさらに備えている、請求項１に記載の個人用周囲空気温度修正デバイス。
【請求項５４】
水霧を前記帰還ポートに供給するための超音波電子水霧発生器をさらに備えている、請求項１に記載の個人用周囲空気温度修正デバイス。
【請求項５５】
芳香を前記帰還ポートに供給する芳香拡散器手段をさらに備えている、請求項１に記載の個人用周囲空気温度修正デバイス。
【請求項５６】
空気フィルタをさらに備えている、請求項１に記載の個人用周囲空気温度修正デバイス。
【請求項５７】
前記帰還ポート、取り付け可能な送達管、または両方に結合された空気フィルタをさらに備えている、請求項１に記載の個人用周囲空気温度修正デバイス。
【請求項５８】
洗浄可能かつ再利用可能な空気フィルタをさらに備えている、請求項１に記載の個人用周囲空気温度修正デバイス。
【請求項５９】
使い捨て空気フィルタをさらに備えている、請求項１に記載の個人用周囲空気温度修正デバイス。
【請求項６０】
炭素成分から成る空気フィルタをさらに備えている、請求項１に記載の個人用周囲空気温度修正デバイス。
【請求項６１】
ＨＥＰＡ空気フィルタをさらに備えている、請求項１に記載の個人用周囲空気温度修正デバイス。
【請求項６２】
前記個人用周囲空気温度修正デバイスは、無線または充電器への有線接続を用いて充電可能な再充電可能バッテリを用いて給電される、請求項１に記載の個人用周囲空気温度修正デバイス。
【請求項６３】
前記再充電可能バッテリは、有線接続によって、または無線充電手段によって、携帯電話、タブレット、またはコンピューティングデバイス等の再充電可能バッテリ動作型デバイスを充電するように構成されている、請求項６２に記載の個人用周囲空気温度修正デバイス。
【請求項６４】
バッテリ寿命インジケータ表示をさらに備えている、請求項１に記載の個人用周囲空気温度修正デバイス。
【請求項６５】
温度表示をさらに備えている、請求項１に記載の個人用周囲空気温度修正デバイス。
【請求項６６】
前記個人用周囲空気温度修正デバイスは、少なくとも華氏２度周囲空気温度を修正する、請求項１に記載の個人用周囲空気温度修正デバイス。
【請求項６７】
凝結または液体源と結合された水霧発生器をさらに備えている、請求項１に記載の個人用周囲空気温度修正デバイス。
【請求項６８】
前記少なくとも１つの空気取り入れポートを遮断するため閉鎖可能であり、前記少なくとも１つの空気取り入れポートへのアクセスを提供するために開放可能であるドアをさらに備え、それによって、前記個人用周囲空気温度修正デバイスが前記コンテナ内の熱エネルギーを保存するとき、前記ドアは、閉鎖されることが可能である、請求項１に記載の個人用周囲空気温度修正デバイス。
【請求項６９】
前記空気マニホールドは、前記コンテナ内の設置およびそこからの除去のための１つ以上の熱エネルギー発生デバイス取り付け手段を備えている、請求項１に記載の個人用周囲空気温度修正デバイス。
【請求項７０】
前記個人用周囲空気温度修正デバイスは、２度以上の局所的体温修正を提供するように構成されている、請求項１に記載の個人用周囲空気温度修正デバイス。
【請求項７１】
前記電動式空気移動機構は、ファンの羽根のタービンファン構成で構築されている、請求項１に記載の個人用周囲空気温度修正デバイス。
【請求項７２】
前記帰還ポートが生物に十分に近く設置されている場合、２度以上の局所温度変化または表面温度効果をもたらす、請求項１に記載の個人用周囲空気温度修正デバイス。
【請求項７３】
前記熱エネルギー濃縮器は、複数のフィンによって作成された複数の収納チャンバを有するマルチチャネル方向性空気流マネージャを備えている、請求項１に記載の個人用周囲空気温度修正デバイス。
【請求項７４】
前記熱エネルギー濃縮器は、複数の収納チャンバを中心空気チャネルと結合する複数の空気流チャネルを備えているマルチチャネル方向性空気流マネージャを備えている、請求項１に記載の個人用周囲空気温度修正デバイス。
【請求項７５】
前記熱エネルギー濃縮器は、前記コンテナの固定部分の中にマルチチャネル方向性空気流マネージャを備えている、請求項１に記載の個人用周囲空気温度修正デバイス。
【請求項７６】
前記熱エネルギー濃縮器は、前記コンテナから除去可能であるマルチチャネル方向性空気流マネージャを備えている、請求項１に記載の個人用周囲空気温度修正デバイス。
【請求項７７】
前記熱エネルギー濃縮器は、それ自体が前記熱エネルギー貯蔵構成要素であるマルチチャネル方向性空気流マネージャを備えている、請求項１に記載の個人用周囲空気温度修正デバイス。
【請求項７８】
前記電動式空気移動機構の動作中の使用のための無線バッテリ動作型Ｂｌｕｅｔｏｏｔｈ（登録商標）またはＷｉ−Ｆｉ対応型スピーカをさらに備えている、請求項１に記載の個人用周囲空気温度修正デバイス。
【請求項７９】
前記蓋内にＬＥＤ、バッテリ接続、コンセント、Ｗｉ−Ｆｉ、およびＢｌｕｅｔｏｏｔｈ（登録商標）構成要素を含むプリント回路基板をさらに備えている、請求項１に記載の個人用周囲空気温度修正デバイス。
【請求項８０】
モータ速度インジケータ（ＬＥＤ）、Ｗｉ−Ｆｉ接続インジケータもしくは表示、および／または、オン／オフインジケータ（ＬＥＤ）をさらに備えている、請求項１に記載の個人用周囲空気温度修正デバイス。
【請求項８１】
前記帰還ポートを通して種々の薬剤をユーザに供給するための薬剤拡散器をさらに備えている、請求項１に記載の個人用周囲空気温度修正デバイス。
【請求項８２】
触れられたときに点灯し、所定の期間後にオフになる照射電源アイコンボタンをさらに備えている、請求項１に記載の個人用周囲空気温度修正デバイス。
【請求項８３】
前記デバイスがオンであるときに照射され、前記デバイスがオフであるときに照射されないＬＥＤ電源インジケータをさらに備えている、請求項１に記載の個人用周囲空気温度修正デバイス。
【請求項８４】
前記電源インジケータは、オン／オフスイッチボタンの周囲の円光である、請求項８３に記載の個人用周囲空気温度修正デバイス。
【請求項８５】
前記電動式空気移動機構の残存バッテリ電力または速度を示すための１つ以上のＬＥＤインジケータをさらに備えている、請求項１に記載の個人用周囲空気温度修正デバイス。
【請求項８６】
温度ＬＥＤに結合された内部温度センサをさらに備え、前記温度ＬＥＤは、冷たい空気温度のための寒色および暖かい空気温度のための暖色を照射する、請求項１に記載の個人用周囲空気温度修正デバイス。
【請求項８７】
前記コンテナまたは前記蓋がぬれているときに滑り止めグリップを提供するための耐候性ソフトタッチコーティングをさらに備えている、請求項１に記載の個人用周囲空気温度修正デバイス。
【請求項８８】
前記耐候性ソフトタッチコーティングは、前記蓋の外面のうちの５％以上の外面上にある、請求項８７に記載の個人用周囲空気温度修正デバイス。
【請求項８９】
前記コンテナは、形状によって種々の手のサイズに適合するようにサイズを決定されている、請求項１に記載の個人用周囲空気温度修正デバイス。
【請求項９０】
前記形状は、円形、正方形、輪郭、六角形、広口、輪郭、またはテクスチャ加工のうちの少なくとも１つを含む、請求項８９に記載の個人用周囲空気温度修正デバイス。
【請求項９１】
前記コンテナは、最大１５０％までの８０％を上回るコンテナ幅に対する振動吸収基部を有する、請求項１に記載の個人用周囲空気温度修正デバイス。
【請求項９２】
前記空気マニホールドの長さの長さ対幅比は、前記電動式空気移動機構の直径の１０％を上回る、請求項１に記載の個人用周囲空気温度修正デバイス。
【請求項９３】
ヒンジを有する耐候性バッテリカバーと、振動防止、温度保存、および遮音性質を有するクリップ閉鎖部とをさらに備えている、請求項１に記載の個人用周囲空気温度修正デバイス。
【請求項９４】
個人用周囲空気温度修正デバイスであって、前記個人用周囲空気温度修正デバイスは、
手持ち式であるように適合されたコンテナであって、前記コンテナは、
内部容積を画定する１つ以上の断熱された壁であって、前記１つ以上の断熱された壁の各々は、前記内部容積に面する内部側と、前記内部側の反対側の外部側とを有する、１つ以上の断熱された壁と、
前記コンテナの第１の端部を通して配置された開口部と、
前記第１の端部の反対側の前記コンテナの第２の端部に配置された基部と
を備え、
前記基部は、前記内部容積に面する内部側と、前記内部側の反対側の外部側とを有し、
前記コンテナは、カップホルダの中に収まるようにサイズを決定され、寸法を決定され、かつ適合されている、コンテナと、
前記内部容積に面する内部側と、前記内部側の反対側の外部側とを有する蓋であって、前記蓋は、密閉位置にあるとき、前記開口部を遮断し、前記コンテナから除去されたとき、前記開口部をさらすように、前記開口部を除去可能かつ交換可能に覆い、前記蓋は、
帰還ポートと、
空気入口と、
前記蓋の内側に配置された電動式空気移動機構と
を備え、
前記電動式空気移動機構は、前記空気入口を通して空気を引き込み、前記帰還ポートを通して前記コンテナおよび前記蓋の外部の外部環境に帰還空気を排出する、蓋と、
前記コンテナの内部容積と流体連通する少なくとも１つの空気取り入れポートであって、前記少なくとも１つの空気取り入れポートは、前記デバイスの外部の周囲環境から前記コンテナの内部容積に流入するように供給空気を引き込むために位置付けられている、少なくとも１つの空気取り入れポートと、
前記コンテナの内部容積の中に配置された熱エネルギー濃縮器と
を備え、
前記熱エネルギー濃縮器は、中心空気チャネルを有するマルチチャネル方向性空気流マネージャを備え、前記中心空気チャネルは、前記空気入口と結合され、前記コンテナの内部容積と結合された複数のフィンおよび収納チャンバによって包囲され、
前記蓋が前記コンテナ上の前記密閉位置にあるとき、前記電動式空気移動機構は、動作しており、１つ以上の熱エネルギー貯蔵構成要素が、前記コンテナの内部容積内の複数の収納チャンバの中に配置されており、周囲空気が、前記複数の収納チャンバを通して前記コンテナの内部容積の中へ引き込まれ、前記１つ以上の熱エネルギー貯蔵構成要素を横断し、前記マルチチャネル方向性空気流マネージャの前記中心空気チャネルを通り、前記周囲空気は、前記１つ以上の熱エネルギー貯蔵構成要素による対流を介して、熱的に修正された空気に変換され、前記熱的に修正された空気は、前記少なくとも１つの空気取り入れポートを通して引き込まれる前記周囲空気と異なる温度を有する帰還空気として、前記中心空気チャネルを通り、前記空気入口の中へ入り、前記帰還ポートを通り外へ出ることを続ける、
個人用周囲空気温度修正デバイス。
【請求項９５】
個人用周囲空気温度修正デバイスであって、前記個人用周囲空気温度修正デバイスは、
コンテナであって、前記コンテナは、
内部容積を画定する１つ以上の断熱された壁であって、前記１つ以上の断熱された壁の各々は、前記内部容積に面する内部側と、前記内部側の反対側の外部側とを有する、１つ以上の断熱された壁と、
前記コンテナの第１の端部を通して配置された開口部と
を備えている、コンテナと、
前記内部容積に面する内部側と、前記内部側の反対側の外部側とを有する蓋と
を備え、
前記蓋は、密閉位置にあるとき、前記開口部を遮断し、前記コンテナから除去されたとき、前記開口部をさらすように、前記開口部を除去可能かつ交換可能に覆い、前記蓋は、
電動式空気移動機構と、
閉鎖コンパートメントの網と
を備え、
前記閉鎖コンパートメントの網は、周囲温度空気水分凝結および修正温度空気水分凝結が前記閉鎖コンパートメントの網内に位置する構成要素と接触することを防止するように構成され、
前記閉鎖コンパートメントの網内に位置する前記構成要素は、前記閉鎖コンパートメントの網内に入れられた少なくとも１つ以上の電気的に接続されたスイッチ、プリント回路基板（ＰＣＢ）、発光ダイオード（ＬＥＤ）、およびバッテリを含む、
個人用周囲空気温度修正デバイス。
【手続補正２】
【補正対象書類名】明細書
【補正対象項目名】００２４
【補正方法】変更
【補正の内容】
【００２４】
本発明によると、本明細書に開示および説明される種々の実施形態は、任意の動作可能な組み合わせで交換可能であり、当業者によって理解されるであろうように、本発明の範囲内に入ると見なされる。
本発明は、例えば、以下を提供する。
（項目１）
個人用周囲空気温度修正デバイスであって、前記個人用周囲空気温度修正デバイスは、
手持ち式であるように適合されたコンテナであって、前記コンテナは、
内部容積を画定する１つ以上の断熱された壁であって、前記１つ以上の断熱された壁の各々は、前記内部容積に面する内部側と、前記内部側の反対側の外部側とを有する、１つ以上の断熱された壁と、
前記コンテナの第１の端部を通して配置された開口部と、
前記第１の端部の反対側の前記コンテナの第２の端部に配置された基部であって、前記基部は、前記内部容積に面する内部側と、前記内部側の反対側の外部側とを有する、基部と
を備え、
前記コンテナは、カップホルダの中に収まるようにサイズを決定され、寸法を決定され、かつ適合されている、コンテナと、
前記内部容積に面する内部側と、前記内部側の反対側の外部側とを有する蓋であって、前記蓋は、密閉位置にあるとき、前記開口部を遮断し、前記コンテナから除去されたとき、前記開口部をさらすように、前記開口部を除去可能かつ交換可能に覆い、前記蓋は、
帰還ポートと、
空気入口と、
前記蓋の内側に配置された電動式空気移動機構と
を備え、
前記電動式空気移動機構は、前記空気入口を通して空気を引き込み、前記帰還ポートを通して前記コンテナおよび前記蓋の外部の外部環境に帰還空気を排出する、蓋と、
前記コンテナの内部容積と流体連通する少なくとも１つの空気取り入れポートであって、前記少なくとも１つの空気取り入れポートは、前記デバイスの外部の周囲環境から前記コンテナの内部容積に流入するように供給空気を引き込むために位置付けられている、少なくとも１つの空気取り入れポートと、
前記コンテナの内部容積の中に配置された熱エネルギー濃縮器と
を備え、
前記熱エネルギー濃縮器は、第１の端部における空気漏斗開口部と、第２の端部における取り入れ開口部とを有する細長い空気マニホールドを備え、前記空気漏斗開口部は、前記空気入口と流体的に結合され、前記取り入れ開口部は、前記コンテナの内部容積と流体的に結合され、
前記蓋が前記コンテナ上の前記密閉位置にあるとき、前記電動式空気移動機構は、動作しており、１つ以上の熱エネルギー貯蔵構成要素が、前記コンテナの内部容積の中に配置されており、周囲空気が、前記少なくとも１つの空気取り入れポートを通して前記コンテナの内部容積の中へ引き込まれ、前記１つ以上の熱エネルギー貯蔵構成要素を横断し、前記細長い空気マニホールドの第２の端部における前記取り入れ開口部を通り、前記細長い空気マニホールドを通り、前記周囲空気は、前記１つ以上の熱エネルギー貯蔵構成要素および前記細長い空気マニホールドによる対流を介して、熱的に修正された空気に変換され、前記熱的に修正された空気は、前記少なくとも１つの空気取り入れポートを通して引き込まれる前記周囲空気と異なる温度を有する帰還空気として、前記空気漏斗開口部を通り、前記空気入口の中へ入り、前記帰還ポートを通り外へ出ることを続ける、
個人用周囲空気温度修正デバイス。
（項目２）
前記少なくとも１つの空気取り入れポートを通して引き込まれる前記周囲空気と異なる温度を有する前記帰還空気は、少なくとも華氏２度の温度差を備えている、項目１に記載の個人用周囲空気温度修正デバイス。
（項目３）
前記コンテナは、二重壁構成の壁の間に配置された空隙を有する前記二重壁構成を有する、項目１に記載の個人用周囲空気温度修正デバイス。
（項目４）
前記コンテナは、前記二重壁構成の壁の間に配置された１つ以上の断熱材料を有する前記二重壁構成を有する、項目１に記載の個人用周囲空気温度修正デバイス。
（項目５）
前記コンテナの内部容積は、約１０オンス、約１５オンス、約２０オンス、約２４オンス、約３０オンス、約３６オンス、約４０オンス、約４５オンス、約５０オンス、約５５オンス、または約６０オンスのうちの１つである、項目１に記載の個人用周囲空気温度修正デバイス。
（項目６）
前記コンテナは、プラスチック、複合材料、金属、ゴム、エラストマ材料、非エラストマ材料、またはそれらの組み合わせのうちの１つ以上のものから製造される、項目１に記載の個人用周囲空気温度修正デバイス。
（項目７）
前記蓋の周りに配置されたガスケットシールをさらに備え、前記ガスケットシールは、前記蓋が前記コンテナ上の密閉位置にあるとき、前記コンテナ開口部と係合するように構成されている、項目１に記載の個人用周囲空気温度修正デバイス。
（項目８）
前記蓋の周りに配置されたエラストマガスケットシールをさらに備え、前記エラストマガスケットシールは、前記蓋が前記コンテナ上の密閉位置にあるとき、前記コンテナ開口部と係合するように構成され、前記エラストマガスケットシールは、前記コンテナ開口部と前記蓋との間の振動抑制、雑音低減、および熱保存を提供する、項目１に記載の個人用周囲空気温度修正デバイス。
（項目９）
前記蓋と前記コンテナとの間の機械的結合部をさらに備え、前記機械的結合部は、摩擦もしくは締まり嵌め、ラッチ機構、またはねじ山付き結合部のうちの１つから成る、項目１に記載の個人用周囲空気温度修正デバイス。
（項目１０）
前記内部容積に面する前記内部側に近接して前記蓋の中に配置された断熱挿入物をさらに備えている、項目１に記載の個人用周囲空気温度修正デバイス。
（項目１１）
前記断熱挿入物は、非毒性断熱プラスチック発泡挿入物、断熱複合材料、またはそれらの組み合わせを備えている、項目１０に記載の個人用周囲空気温度修正デバイス。
（項目１２）
前記断熱挿入物は、振動抑制、音抑制、または両方である、項目１０に記載の個人用周囲空気温度修正デバイス。
（項目１３）
前記断熱挿入物は、１つ以上の空気取り入れチャネルをさらに備え、前記１つ以上の空気取り入れチャネルは、前記蓋が前記コンテナ上の前記密閉位置であるとき、前記少なくとも１つの空気取り入れポートと前記コンテナの内部容積との間の流体連通を提供する、項目１０に記載の個人用周囲空気温度修正デバイス。
（項目１４）
前記断熱挿入物は、除去可能、洗浄可能、および再利用可能である、項目１０に記載の個人用周囲空気温度修正デバイス。
（項目１５）
前記電動式空気移動機構は、曲線状のファンの羽根、平坦なファンの羽根、またはそれらの組み合わせを有する遠心ファンを備えている、項目１に記載の個人用周囲空気温度修正デバイス。
（項目１６）
前記熱エネルギー濃縮器は、多孔質材料または非多孔質材料から成る、項目１に記載の個人用周囲空気温度修正デバイス。
（項目１７）
前記熱エネルギー濃縮器は、その長さの全体を通して複数の穿孔を備えている、項目１に記載の個人用周囲空気温度修正デバイス。
（項目１８）
前記細長い空気マニホールドは、前記第１の端部における空気漏斗を前記第２の端部における前記取り入れ開口部と流体的に結合する１つの中心チャネルを有する、項目１に記載の個人用周囲空気温度修正デバイス。
（項目１９）
前記細長い空気マニホールドは、前記第１の端部における空気漏斗を前記第２の端部における前記取り入れ開口部と流体的に結合する複数のチャネルを有する、項目１に記載の個人用周囲空気温度修正デバイス。
（項目２０）
前記細長い空気マニホールドは、複数の側壁開口部を有する、項目１に記載の個人用周囲空気温度修正デバイス。
（項目２１）
前記細長い空気マニホールドは、複数の熱伝導性表面特徴を有する、項目１に記載の個人用周囲空気温度修正デバイス。
（項目２２）
前記細長い空気マニホールドは、フィン、輪郭、指状突起、またはそれらの組み合わせのうちの１つ以上のものを備えている複数の熱伝導性表面特徴を有し、前記熱伝導性表面特徴は、平滑な線形表面に対して前記細長い空気マニホールドの熱伝導性表面積を増加させる、項目１に記載の個人用周囲空気温度修正デバイス。
（項目２３）
前記細長い空気マニホールドは、テーパ状構成を有し、前記テーパ状構成のより狭い端部が、前記第２の端部における前記取り入れ開口部に近接しており、それによって、前記コンテナが角氷、砕かれた氷、および／または削られた氷で充填されている場合、前記テーパ状構成は、アイスデフレクタであり、前記蓋が前記コンテナと結合されると、前記細長い空気マニホールドは、氷を脇へ押しやる、項目１に記載の個人用周囲空気温度修正デバイス。
（項目２４）
前記細長い空気マニホールドは、前記細長い空気マニホールドの外面に沿って配置された支柱、スロット、リブ、またはカップから成る群から選択される取り付け手段をさらに備え、前記取り付け手段は、前記コンテナの内側に配置された前記１つ以上の熱エネルギー貯蔵構成要素と係合する、項目１に記載の個人用周囲空気温度修正デバイス。
（項目２５）
前記帰還ポートと除去可能かつ交換可能に結合された帰還空気送達管をさらに備えている、項目１に記載の個人用周囲空気温度修正デバイス。
（項目２６）
前記熱エネルギー濃縮器は、前記蓋と除去可能かつ交換可能に結合されている、項目１に記載の個人用周囲空気温度修正デバイス。
（項目２７）
前記熱エネルギー濃縮器は、前記蓋と恒久的に結合されている、項目１に記載の個人用周囲空気温度修正デバイス。
（項目２８）
前記熱エネルギー濃縮器は、摩擦もしくは締まり嵌め、ラッチ機構、またはねじ山付き結合部を介して蓋と除去可能かつ交換可能に結合されている、項目１に記載の個人用周囲空気温度修正デバイス。
（項目２９）
前記熱エネルギー濃縮器は、前記コンテナの内部容積の中に配置された１つ以上の熱エネルギー貯蔵構成要素から熱エネルギーを受け取るように適合されている、項目１に記載の個人用周囲空気温度修正デバイス。
（項目３０）
前記熱エネルギー濃縮器は、前記コンテナの内部容積の中に配置された１つ以上の熱エネルギー貯蔵構成要素から熱エネルギーを受け取るように適合され、前記１つ以上の熱エネルギー貯蔵構成要素は、高温もしくは低温ゲルパック、熱を発生させるための酸化鉄パウチ、氷、またはそれらの組み合わせを備えている、項目１に記載の個人用周囲空気温度修正デバイス。
（項目３１）
前記熱エネルギー濃縮器は、折り畳まれた１つ以上の熱エネルギー貯蔵構成要素から熱エネルギーを受け取るように適合されている、項目１に記載の個人用周囲空気温度修正デバイス。
（項目３２）
バッテリ収納チャンバをさらに備えている、項目１に記載の個人用周囲空気温度修正デバイス。
（項目３３）
前記デバイスの中に配置された再充電可能バッテリ収納をさらに備えている、項目１に記載の個人用周囲空気温度修正デバイス。
（項目３４）
電動式空気移動機構動作を制御している制御機構と結合された無線通信構成要素をさらに備え、それによって、前記電動式空気移動機構は、前記無線通信構成要素を介して前記制御機構と無線通信する別個のデバイスによって制御可能である、項目１に記載の個人用周囲空気温度修正デバイス。
（項目３５）
無線周波数（ＲＦ）、Ｗｉ−Ｆｉ、セルラー、Ｂｌｕｅｔｏｏｔｈ（登録商標）、Ｂｌｕｅｔｏｏｔｈ（登録商標）  Ｌｏｗ  Ｅｎｅｒｇｙ、パーソナルエリアネットワーク（ＰＡＮ）、短波長ＵＨＦ、またはそれらの組み合わせのうちの１つ以上のものを使用して無線で通信するように構成された無線通信構成要素をさらに備えている、項目１に記載の個人用周囲空気温度修正デバイス。
（項目３６）
バッテリカバードアをさらに備え、前記バッテリカバードアは、バッテリ充電のための磁気電源コード取り付けのために装備された磁気電源コード受け取り器結合部を有する、項目１に記載の個人用周囲空気温度修正デバイス。
（項目３７）
前記蓋上の密閉および閉鎖位置にあるときに耐候性または防水のバッテリカバードアをさらに備えている、項目１に記載の個人用周囲空気温度修正デバイス。
（項目３８）
バッテリカバードアと、耐候性スイッチと、突出リブ要素と、ハンドルとを含む前記蓋の外部側は、極端な周囲温度または日光の中での前記蓋による熱吸収を低減させるための非熱吸収の材料、仕上げ、または色で構成されている、項目１に記載の個人用周囲空気温度修正デバイス。
（項目３９）
１つ以上の可動ドアをさらに備え、前記１つ以上の可動ドアは、前記１つ以上の可動ドアを閉鎖することによって前記コンテナの内側に収納された熱エネルギーを維持するために、前記少なくとも１つの空気取り入れポートへのアクセスを閉鎖または開放するように位置付けられ、構成されている、項目１に記載の個人用周囲空気温度修正デバイス。
（項目４０）
前記電動式空気移動機構の動作を制御する制御機構のためのコマンドに変換される音声コマンドを受信するように構成されたマイクロホン、をさらに備えている、項目１に記載の個人用周囲空気温度修正デバイス。
（項目４１）
前記個人用周囲空気温度修正デバイスは、１０ポンド未満、好ましくは、５ポンド未満、より好ましくは、２ポンド未満の重量である、項目１に記載の個人用周囲空気温度修正デバイス。
（項目４２）
前記電動式空気移動機構の前記動作を制御するための耐候性オン／オフスイッチをさらに備えている、項目１に記載の個人用周囲空気温度修正デバイス。
（項目４３）
１つ以上の耐候性オン／オフスイッチ、可変速度スイッチ、ＬＥＤインジケータを有する１つ以上の耐候性スイッチ、デジタル表示画面を有する１つ以上の耐候性スイッチ、前記電動式空気移動機構のオン／オフ動作を制御するように構成された１つ以上のタイマ、またはそれらの組み合わせをさらに備えている、項目１に記載の個人用周囲空気温度修正デバイス。
（項目４４）
ＵＳＢ、マイクロＵＳＢ、マルチピンドックコネクタ、および照明電源コネクタから成る群から選択される受電機ポートをさらに備えている、項目１に記載の個人用周囲空気温度修正デバイス。
（項目４５）
前記個人用周囲空気温度修正デバイスと結合された太陽光発電源をさらに備えている、項目１に記載の個人用周囲空気温度修正デバイス。
（項目４６）
表面上に設置されたときに前記デバイスが置かれている前記個人用周囲空気温度修正デバイスの底面上に配置された滑り止め振動吸収または振動抑制基部をさらに備えている、項目１に記載の個人用周囲空気温度修正デバイス。
（項目４７）
前記蓋から延びているキャリーハンドルをさらに備えている、項目１に記載の個人用周囲空気温度修正デバイス。
（項目４８）
前記蓋から延びているキャリーハンドルをさらに備え、前記キャリーハンドルは、回転することなく平面上への前記個人用周囲空気温度修正デバイスの水平設置を可能にするように構成されている、項目１に記載の個人用周囲空気温度修正デバイス。
（項目４９）
前記蓋から延びているキャリーハンドルをさらに備え、前記キャリーハンドルは、偶発的なオン／オフスイッチアクティブ化を阻止し、外部電源に接続されているときの偶発的な電源コード除去を阻止するように構成されている、項目１に記載の個人用周囲空気温度修正デバイス。
（項目５０）
前記蓋から延びているキャリーハンドルをさらに備え、前記キャリーハンドルおよびバッテリカバータブは、前記個人用周囲空気温度修正デバイスの動作中、前記タブおよび蓋の上で十分な視認角度において携帯電話またはモバイルタブレットデバイスを支持するようにサイズを決定され、寸法を決定され、構成され、かつ適合されている、項目１に記載の個人用周囲空気温度修正デバイス。
（項目５１）
常夜灯をさらに備えている、項目１に記載の個人用周囲空気温度修正デバイス。
（項目５２）
前記個人用周囲空気温度修正デバイスの周囲に適合するようにサイズを決定され、寸法を決定され、かつ構成された除去可能な断熱ジャケットカバーをさらに備えている、項目１に記載の個人用周囲空気温度修正デバイス。
（項目５３）
空気温度を感知するための前記個人用周囲空気温度修正デバイス上に配置された温度センサをさらに備えている、項目１に記載の個人用周囲空気温度修正デバイス。
（項目５４）
水霧を前記帰還ポートに供給するための超音波電子水霧発生器をさらに備えている、項目１に記載の個人用周囲空気温度修正デバイス。
（項目５５）
芳香を前記帰還ポートに供給する芳香拡散器手段をさらに備えている、項目１に記載の個人用周囲空気温度修正デバイス。
（項目５６）
空気フィルタをさらに備えている、項目１に記載の個人用周囲空気温度修正デバイス。
（項目５７）
前記帰還ポート、取り付け可能な送達管、または両方に結合された空気フィルタをさらに備えている、項目１に記載の個人用周囲空気温度修正デバイス。
（項目５８）
洗浄可能かつ再利用可能な空気フィルタをさらに備えている、項目１に記載の個人用周囲空気温度修正デバイス。
（項目５９）
使い捨て空気フィルタをさらに備えている、項目１に記載の個人用周囲空気温度修正デバイス。
（項目６０）
炭素成分から成る空気フィルタをさらに備えている、項目１に記載の個人用周囲空気温度修正デバイス。
（項目６１）
ＨＥＰＡ空気フィルタをさらに備えている、項目１に記載の個人用周囲空気温度修正デバイス。
（項目６２）
前記個人用周囲空気温度修正デバイスは、無線または充電器への有線接続を用いて充電可能な再充電可能バッテリを用いて給電される、項目１に記載の個人用周囲空気温度修正デバイス。
（項目６３）
前記再充電可能バッテリは、有線接続によって、または無線充電手段によって、携帯電話、タブレット、またはコンピューティングデバイス等の再充電可能バッテリ動作型デバイスを充電するように構成されている、項目６２に記載の個人用周囲空気温度修正デバイス。
（項目６４）
バッテリ寿命インジケータ表示をさらに備えている、項目１に記載の個人用周囲空気温度修正デバイス。
（項目６５）
温度表示をさらに備えている、項目１に記載の個人用周囲空気温度修正デバイス。
（項目６６）
前記個人用周囲空気温度修正デバイスは、少なくとも華氏２度周囲空気温度を修正する、項目１に記載の個人用周囲空気温度修正デバイス。
（項目６７）
凝結または液体源と結合された水霧発生器をさらに備えている、項目１に記載の個人用周囲空気温度修正デバイス。
（項目６８）
前記少なくとも１つの空気取り入れポートを遮断するため閉鎖可能であり、前記少なくとも１つの空気取り入れポートへのアクセスを提供するために開放可能であるドアをさらに備え、それによって、前記個人用周囲空気温度修正デバイスが前記コンテナ内の熱エネルギーを保存するとき、前記ドアは、閉鎖されることが可能である、項目１に記載の個人用周囲空気温度修正デバイス。
（項目６９）
前記細長い空気マニホールドは、前記コンテナ内の設置およびそこからの除去のための１つ以上の熱エネルギー発生デバイス取り付け手段を備えている、項目１に記載の個人用周囲空気温度修正デバイス。
（項目７０）
前記個人用周囲空気温度修正デバイスは、２度以上の局所的体温修正を提供するように構成されている、項目１に記載の個人用周囲空気温度修正デバイス。
（項目７１）
前記電動式空気移動機構は、ファンの羽根のタービンファン構成で構築されている、項目１に記載の個人用周囲空気温度修正デバイス。
（項目７２）
前記帰還ポートが生物に十分に近く設置されている場合、２度以上の局所温度変化または表面温度効果をもたらす、項目１に記載の個人用周囲空気温度修正デバイス。
（項目７３）
前記熱エネルギー濃縮器は、複数のフィンによって作成された複数の収納チャンバを有するマルチチャネル方向性空気流マネージャを備えている、項目１に記載の個人用周囲空気温度修正デバイス。
（項目７４）
前記熱エネルギー濃縮器は、複数の収納チャンバを中心空気チャネルと結合する複数の空気流チャネルを備えているマルチチャネル方向性空気流マネージャを備えている、項目１に記載の個人用周囲空気温度修正デバイス。
（項目７５）
前記熱エネルギー濃縮器は、前記コンテナの固定部分の中にマルチチャネル方向性空気流マネージャを備えている、項目１に記載の個人用周囲空気温度修正デバイス。
（項目７６）
前記熱エネルギー濃縮器は、前記コンテナから除去可能であるマルチチャネル方向性空気流マネージャを備えている、項目１に記載の個人用周囲空気温度修正デバイス。
（項目７７）
前記熱エネルギー濃縮器は、それ自体が前記熱エネルギー貯蔵構成要素であるマルチチャネル方向性空気流マネージャを備えている、項目１に記載の個人用周囲空気温度修正デバイス。
（項目７８）
前記電動式空気移動機構の動作中の使用のための無線バッテリ動作型Ｂｌｕｅｔｏｏｔｈ（登録商標）またはＷｉ−Ｆｉ対応型スピーカをさらに備えている、項目１に記載の個人用周囲空気温度修正デバイス。
（項目７９）
前記蓋内にＬＥＤ、バッテリ接続、コンセント、Ｗｉ−Ｆｉ、およびＢｌｕｅｔｏｏｔｈ（登録商標）構成要素を含むプリント回路基板をさらに備えている、項目１に記載の個人用周囲空気温度修正デバイス。
（項目８０）
モータ速度インジケータ（ＬＥＤ）、Ｗｉ−Ｆｉ接続インジケータもしくは表示、および／または、オン／オフインジケータ（ＬＥＤ）をさらに備えている、項目１に記載の個人用周囲空気温度修正デバイス。
（項目８１）
前記帰還ポートを通して種々の薬剤をユーザに供給するための薬剤拡散器をさらに備えている、項目１に記載の個人用周囲空気温度修正デバイス。
（項目８２）
触れられたときに点灯し、所定の期間後にオフになる照射電源アイコンボタンをさらに備えている、項目１に記載の個人用周囲空気温度修正デバイス。
（項目８３）
前記デバイスがオンであるときに照射され、前記デバイスがオフであるときに照射されないＬＥＤ電源インジケータをさらに備えている、項目１に記載の個人用周囲空気温度修正デバイス。
（項目８４）
前記電源インジケータは、オン／オフスイッチボタンの周囲の円光である、項目８３に記載の個人用周囲空気温度修正デバイス。
（項目８５）
前記電動式空気移動機構の残存バッテリ電力または速度を示すための１つ以上のＬＥＤインジケータをさらに備えている、項目１に記載の個人用周囲空気温度修正デバイス。
（項目８６）
温度ＬＥＤに結合された内部温度センサをさらに備え、前記温度ＬＥＤは、冷たい空気温度のための寒色および暖かい空気温度のための暖色を照射する、項目１に記載の個人用周囲空気温度修正デバイス。
（項目８７）
前記コンテナまたは前記蓋がぬれているときに滑り止めグリップを提供するための耐候性ソフトタッチコーティングをさらに備えている、項目１に記載の個人用周囲空気温度修正デバイス。
（項目８８）
前記耐候性ソフトタッチコーティングは、前記蓋の外面のうちの５％以上の外面上にある、項目８７に記載の個人用周囲空気温度修正デバイス。
（項目８９）
前記コンテナは、形状によって種々の手のサイズに適合するようにサイズを決定されている、項目１に記載の個人用周囲空気温度修正デバイス。
（項目９０）
前記形状は、円形、正方形、輪郭、六角形、広口、輪郭、またはテクスチャ加工のうちの少なくとも１つを含む、項目８９に記載の個人用周囲空気温度修正デバイス。
（項目９１）
前記コンテナは、最大１５０％までの８０％を上回るコンテナ幅に対する振動吸収基部を有する、項目１に記載の個人用周囲空気温度修正デバイス。
（項目９２）
前記細長い空気マニホールドの長さの長さ対幅比は、前記電動式空気移動機構の直径の１０％を上回る、項目１に記載の個人用周囲空気温度修正デバイス。
（項目９３）
ヒンジを有する耐候性バッテリカバーと、振動防止、温度保存、および遮音性質を有するクリップ閉鎖部とをさらに備えている、項目１に記載の個人用周囲空気温度修正デバイス。
（項目９４）
個人用周囲空気温度修正デバイスであって、前記個人用周囲空気温度修正デバイスは、
手持ち式であるように適合されたコンテナであって、前記コンテナは、
内部容積を画定する１つ以上の断熱された壁であって、前記１つ以上の断熱された壁の各々は、前記内部容積に面する内部側と、前記内部側の反対側の外部側とを有する、１つ以上の断熱された壁と、
前記コンテナの第１の端部を通して配置された開口部と、
前記第１の端部の反対側の前記コンテナの第２の端部に配置された基部と
を備え、
前記基部は、前記内部容積に面する内部側と、前記内部側の反対側の外部側とを有し、
前記コンテナは、カップホルダの中に収まるようにサイズを決定され、寸法を決定され、かつ適合されている、コンテナと、
前記内部容積に面する内部側と、前記内部側の反対側の外部側とを有する蓋であって、前記蓋は、密閉位置にあるとき、前記開口部を遮断し、前記コンテナから除去されたとき、前記開口部をさらすように、前記開口部を除去可能かつ交換可能に覆い、前記蓋は、
帰還ポートと、
空気入口と、
前記蓋の内側に配置された電動式空気移動機構と
を備え、
前記電動式空気移動機構は、前記空気入口を通して空気を引き込み、前記帰還ポートを通して前記コンテナおよび前記蓋の外部の外部環境に帰還空気を排出する、蓋と、
前記コンテナの内部容積と流体連通する少なくとも１つの空気取り入れポートであって、前記少なくとも１つの空気取り入れポートは、前記デバイスの外部の周囲環境から前記コンテナの内部容積に流入するように供給空気を引き込むために位置付けられている、少なくとも１つの空気取り入れポートと、
前記コンテナの内部容積の中に配置された熱エネルギー濃縮器と
を備え、
前記熱エネルギー濃縮器は、中心空気チャネルを有するマルチチャネル方向性空気流マネージャを備え、前記中心空気チャネルは、前記空気入口と結合され、前記コンテナの内部容積と結合された複数のフィンおよび収納チャンバによって包囲され、
前記蓋が前記コンテナ上の前記密閉位置にあるとき、前記電動式空気移動機構は、動作しており、１つ以上の熱エネルギー貯蔵構成要素が、前記コンテナの内部容積内の複数の収納チャンバの中に配置されており、周囲空気が、前記複数の収納チャンバを通して前記コンテナの内部容積の中へ引き込まれ、前記１つ以上の熱エネルギー貯蔵構成要素を横断し、前記マルチチャネル方向性空気流マネージャの前記中心空気チャネルを通り、前記周囲空気は、前記１つ以上の熱エネルギー貯蔵構成要素による対流を介して、熱的に修正された空気に変換され、前記熱的に修正された空気は、前記少なくとも１つの空気取り入れポートを通して引き込まれる前記周囲空気と異なる温度を有する帰還空気として、前記中心空気チャネルを通り、前記空気入口の中へ入り、前記帰還ポートを通り外へ出ることを続ける、
個人用周囲空気温度修正デバイス。
（項目９５）
個人用周囲空気温度修正デバイスであって、前記個人用周囲空気温度修正デバイスは、
コンテナであって、前記コンテナは、
内部容積を画定する１つ以上の断熱された壁であって、前記１つ以上の断熱された壁の各々は、前記内部容積に面する内部側と、前記内部側の反対側の外部側とを有する、１つ以上の断熱された壁と、
前記コンテナの第１の端部を通して配置された開口部と
を備えている、コンテナと、
前記内部容積に面する内部側と、前記内部側の反対側の外部側とを有する蓋と
を備え、
前記蓋は、密閉位置にあるとき、前記開口部を遮断し、前記コンテナから除去されたとき、前記開口部をさらすように、前記開口部を除去可能かつ交換可能に覆い、前記蓋は、
電動式空気移動機構と、
閉鎖コンパートメントの網と
を備え、
前記閉鎖コンパートメントの網は、周囲温度空気水分凝結および修正温度空気水分凝結が前記閉鎖コンパートメントの網内に位置する構成要素と接触することを防止するように構成され、
前記閉鎖コンパートメントの網内に位置する前記構成要素は、前記閉鎖コンパートメントの網内に入れられた少なくとも１つ以上の電気的に接続されたスイッチ、プリント回路基板（ＰＣＢ）、発光ダイオード（ＬＥＤ）、およびバッテリを含む、
個人用周囲空気温度修正デバイス。
【国際調査報告】
2019532245.tif 000012